(57)【要約】【課題】視覚交換の簡易な実現。【解決手段】一方の撮像表示装置で撮像した撮像画像データを、他方の撮像表示装置に送信して表示させる。また他方の撮像表示装置で撮像した撮像画像データを、一方の撮像表示装置で表示させたり記録する。さらに、一方又は他方の撮像表示装置で撮像し、一方の撮像表示装置で記録した撮像画像データを、該一方の撮像表示装置で再生させ、一方の撮像表示装置や他方の撮像表示装置で表示させる。ここで、一方又は他方の撮像表示装置の撮像手段で撮像される撮像画像データとは、撮像表示装置の使用者の視界方向の画像であるようにする。また一方又は他方の撮像表示装置では、表示画面が使用者の目の前方に位置される。従って、撮像表示装置のユーザは、撮像表示装置を装着した状態で、自分の視界光景としての現在又は過去の光景を見るだけでなく、他の撮像表示装置のユーザの視界光景としての現在又は過去の光景を見ることができる。【選択図】図２
2009021914.tif 000002
【特許請求の範囲】
【請求項１】
複数の撮像表示装置を有する撮像表示システムであって、
上記各撮像表示装置は、
使用者の目の前方に位置するように配置された表示画面により画像表示を行うとともに、上記表示画面を透明又は半透明のスルー状態とすることができる表示手段と、
使用者の視界方向を被写体方向として撮像して撮像画像データを得る撮像手段と、
他方の撮像表示装置との間で撮像画像データの通信を行う通信手段と、
上記撮像手段で得られた撮像画像データを上記通信手段により他方の撮像表示装置に送信させる制御と、上記他方の撮像表示装置から送信され上記通信手段で受信された撮像画像データを上記表示手段で表示させる制御と、を行う制御手段と、
を備えていることを特徴とする撮像表示システム。
【請求項２】
さらにリモートコントローラを備え、
上記リモートコントローラは、使用者の操作に応じて一方の撮像表示装置に対してコマンド信号を送信するとともに、
上記一方の撮像表示装置の制御手段は、上記コマンド信号に応じて、自己の動作制御を行うとともに、上記通信手段により、他方の撮像表示装置に動作制御情報を送信する制御を行うことを特徴とする請求項１に記載の撮像表示システム。
【請求項３】
使用者の目の前方に位置するように配置された表示画面により画像表示を行うとともに、上記表示画面を透明又は半透明のスルー状態とすることができる表示手段と、
使用者の視界方向を被写体方向として撮像して撮像画像データを得る撮像手段と、
外部の撮像表示装置との間で撮像画像データの通信を行う通信手段と、
上記撮像手段で得られた撮像画像データを上記通信手段により外部の撮像表示装置に送信させる制御と、外部の撮像表示装置から送信され上記通信手段で受信された撮像画像データを上記表示手段で表示させる制御と、を行う制御手段と、
を備えていることを特徴とする撮像表示装置。
【請求項４】
撮像画像データの記録を行う記録手段をさらに備え、
上記制御手段はさらに、上記撮像手段で得られた撮像画像データを上記記録手段により記録させる制御を行うことを特徴とする請求項３に記載の撮像表示装置。
【請求項５】
撮像画像データの記録を行う記録手段をさらに備え、
上記制御手段はさらに、上記他方の撮像表示装置から送信され上記通信手段で受信された撮像画像データを上記記録手段により記録させる制御を行うことを特徴とする請求項３に記載の撮像表示装置。
【請求項６】
画像データの再生を行う再生手段をさらに備え、
上記制御手段はさらに、上記再生手段で再生された画像データを上記通信手段により外部の撮像表示装置に送信させる制御を行うことを特徴とする請求項３に記載の撮像表示装置。
【請求項７】
画像データの再生を行う再生手段をさらに備え、
上記制御手段はさらに、上記再生手段で再生された撮像画像データを上記表示手段で表示させる制御と、上記再生手段で再生された画像データを上記通信手段により外部の撮像表示装置に送信させる制御とを行うことを特徴とする請求項３に記載の撮像表示装置。
【請求項８】
上記制御手段は、操作入力信号に応じて、自己の動作制御を実行するとともに、上記通信手段により、外部の撮像表示装置に動作制御情報を送信させる制御を行うことを特徴とする請求項３に記載の撮像表示装置。
【請求項９】
上記制御手段は、上記操作入力信号に応じて、上記表示画面の透過率の可変制御と、外部の撮像表示装置の表示画面の透過率制御情報の送信制御の一方又は両方を実行することを特徴とする請求項８に記載の撮像表示装置。
【請求項１０】
上記制御手段は、上記操作入力信号に応じて、
撮像画像データを上記通信手段により外部の撮像表示装置に送信させる制御と、外部の撮像表示装置への撮像画像データの送信を求める制御情報の送信制御の、一方又は両方を実行することを特徴とする請求項８に記載の撮像表示装置。
【請求項１１】
上記操作入力信号は、リモートコントローラからのコマンド信号として入力される信号であることを特徴とする請求項８に記載の撮像表示装置。
【請求項１２】
使用者の目の前方に位置するように配置された表示画面により画像表示を行うとともに、上記表示画面を透明又は半透明のスルー状態とすることができる表示手段と、
使用者の視界方向を被写体方向として撮像して撮像画像データを得る撮像手段と、
外部の撮像表示装置との間で撮像画像データの通信を行う通信手段と、
を備えた撮像表示装置の制御方法として、
操作入力に応じて、上記撮像手段で得られた撮像画像データを上記通信手段により外部の撮像表示装置に送信させるステップと、
操作入力に応じて、外部の撮像表示装置から送信され上記通信手段で受信された撮像画像データを上記表示手段で表示させるステップと、
を備えることを特徴とする撮像表示装置の制御方法。
【発明の詳細な説明】
【技術分野】
【０００１】
本発明は、撮像表示システム、撮像表示装置、撮像表示装置の制御方法に関し、特に複数の撮像表示装置を使用するユーザの視覚交換を実現できるようにする技術に関する。
【背景技術】
【０００２】
【特許文献１】特開２００５−３４１６０４号公報
【特許文献２】特開２００３−２４４６９１号公報
【０００３】
上記特許文献１にはデータ通信システムの一例が述べられている。
上記特許文献２には自身の見る視聴覚にタイムスタンプを押して事後に利用するシステムが開示されている。
【発明の開示】
【発明が解決しようとする課題】
【０００４】
しかしながら従来は、ユーザが任意に自分以外の視界を見るという技術は提案されていない。
ここで、視覚交換という観点で、或る人が、他の人から見えている光景を手軽に見ることができるようにすることで、多様な利便性が生ずると考えられる。
【０００５】
例えばゴルフ教室などのスポーツ講習を行う際、受講者のフォームを映像として記録し、受講者自身がその映像を確認して、悪いところを改善するといった手法は適切である。
ところがこのためには、他者が受講者のフォームをビデオ撮影して、後に再生して見るということになり、はなはだ面倒である。また機材環境にもよるが、再生して本人が見るまでに時間がかかる。特には、リアルタイムで受講者が受講者自身のフォームを見ながらフォーム練習するといったこともできない。
また例えば受講者に教える講師以外にビデオスタッフが必要になることが多く、その点でも手軽に実行できない。
さらには、講師が意図するような撮像角度（例えば講師が受講者に対してチェックしている目線）などでの撮影は困難である。
さらに、講師が撮影しようとすると、講師は撮影機材や撮影操作を気にしなければならず、的確に受講者を見ることができないことにもなる。
【０００６】
また、教則画像データ等による講習も、一般には、鑑賞する部屋で行われ、その場でゴルフのスイング練習などが行えないのが実情で、結局はイメージトレーニング程度に利用することしかできない。
【０００７】
そこで本発明は、例えばスポーツ練習などにも好適に利用できるように、手軽に視覚交換を実現できるようにすることを目的とする。
【課題を解決するための手段】
【０００８】
本発明の撮像表示システムは、複数の本発明の撮像表示装置を有して成る。また、使用者の操作に応じて一方の撮像表示装置に対してコマンド信号を送信するリモートコントローラを有する場合もある。
【０００９】
この撮像表示システムを構成する、本発明の撮像表示装置は、使用者の目の前方に位置するように配置された表示画面により画像表示を行うとともに上記表示画面を透明又は半透明のスルー状態とすることができる表示手段と、使用者の視界方向を被写体方向として撮像して撮像画像データを得る撮像手段と、外部の撮像表示装置との間で撮像画像データの通信を行う通信手段と、上記撮像手段で得られた撮像画像データを上記通信手段により外部の撮像表示装置に送信させる制御と、上記外部の撮像表示装置から送信され上記通信手段で受信された撮像画像データを上記表示手段で表示させる制御とを行う制御手段と、を備えている。
また撮像画像データの記録を行う記録手段をさらに備え、上記制御手段はさらに、上記撮像手段で得られた撮像画像データを上記記録手段により記録させる制御を行う。
また上記制御手段はさらに、上記他方の撮像表示装置から送信され上記通信手段で受信された撮像画像データを上記記録手段により記録させる制御を行う。
また画像データの再生を行う再生手段をさらに備え、上記制御手段はさらに、上記再生手段で再生された画像データを上記通信手段により外部の撮像表示装置に送信させる制御を行う。
また上記制御手段はさらに、上記再生手段で再生された撮像画像データを上記表示手段で表示させる制御と、上記再生手段で再生された画像データを上記通信手段により外部の撮像表示装置に送信させる制御とを行う。
【００１０】
また上記制御手段は、操作入力信号に応じて、自己の動作制御を実行するとともに、上記通信手段により、外部の撮像表示装置に動作制御情報を送信させる制御を行う。
また上記制御手段は、上記操作入力信号に応じて、上記表示画面の透過率の可変制御と、外部の撮像表示装置の表示画面の透過率制御情報の送信制御の一方又は両方を実行する。
また上記制御手段は、上記操作入力信号に応じて、撮像画像データを上記通信手段により外部の撮像表示装置に送信させる制御と、外部の撮像表示装置への撮像画像データの送信を求める制御情報の送信制御の、一方又は両方を実行する。
また上記操作入力信号は、リモートコントローラからのコマンド信号として入力される信号である。
【００１１】
本発明の撮像表示装置の制御方法は、操作入力に応じて、上記撮像手段で得られた撮像画像データを上記通信手段により外部の撮像表示装置に送信させるステップと、操作入力に応じて、外部の撮像表示装置から送信され上記通信手段で受信された撮像画像データを上記表示手段で表示させるステップとを備える。
【００１２】
以上の本発明では、一方の撮像表示装置で撮像した撮像画像データを、他方の撮像表示装置に送信して表示させることができる。また他方の撮像表示装置で撮像した撮像画像データを、一方の撮像表示装置で表示させたり記録することができる。
さらに、一方又は他方の撮像表示装置で撮像し、一方の撮像表示装置で記録した撮像画像データを、該一方の撮像表示装置で再生させ、一方の撮像表示装置や他方の撮像表示装置で表示させることができる。
ここで、一方又は他方の撮像表示装置の撮像手段で撮像される撮像画像データとは、撮像表示装置の使用者の視界方向の画像である。
また一方又は他方の撮像表示装置では、表示画面が使用者の目の前方に位置される。
従って、撮像表示装置のユーザは、撮像表示装置を装着した状態で、自分の視界光景としての現在又は過去の光景を見るだけでなく、他の撮像表示装置のユーザの視界光景としての現在又は過去の光景を見ることができる。つまり視覚交換としての動作を実現できる。
【発明の効果】
【００１３】
本発明によれば、複数のユーザがそれぞれ撮像表示装置を装着することで、お互いに他方のユーザの視覚光景を容易に見ることができる。つまり手軽に視覚交換としての表示画像を体験できる有用な撮像表示装置となり、例えばスポーツ講習その他の多様な使用機会で有効に用いることができる。
また、１つの操作入力手段（例えばリモートコントローラ）により、両方の撮像表示装置を制御して視覚交換動作を制御できることで、使用性も向上される。
【発明を実施するための最良の形態】
【００１４】
以下、本発明の撮像表示システム、撮像表示装置、及びその制御方法の実施の形態を説明する。説明は次の順序で行う。
［１．システム概要］
［２．撮像表示装置の構成例］
［３．リモートコントローラの構成例及び動作］
［４．被制御機器モード設定処理］
［５．透過率制御処理］
［６．撮像処理（自機撮像、自機記録、自機表示）］
［７．撮像処理（他機撮像、自機記録、自機表示）］
［８．撮像処理（自機撮像、自機記録、他機表示）］
［９．再生処理（自機再生、自機表示）］
［１０．再生処理（自機再生、他機表示）］
［１１．再生処理（自機再生、両機表示）］
［１２．実施の形態の効果、及び変形例、拡張例］
【００１５】
［１．システム概要］
実施の形態の撮像表示システムは、複数（例えば２つ）の撮像表示装置を有する。
図１に撮像表示装置１の外観例を示す。この撮像表示装置１は眼鏡型ディスプレイカメラとしてユーザが装着できるものとしている。
撮像表示装置１は、例えば両側頭部から後頭部にかけて半周回するようなフレームの構造の装着ユニットを持ち、図のように両耳殻にかけられることでユーザに装着される。
そしてこの撮像表示装置１は、図１のような装着状態において、ユーザの両眼の直前、即ち通常の眼鏡におけるレンズが位置する場所に、左眼用と右眼用の一対の表示パネル部２ａ、２ｂが配置される構成とされている。この表示パネル部２ａ、２ｂには、例えば液晶パネルが用いられ、透過率を制御することで、図のようなスルー状態、即ち透明又は半透明の状態とできる。表示パネル部２ａ，２ｂがスルー状態とされることで、眼鏡のようにユーザが常時装着していても、ユーザの活動には支障がない。
【００１６】
またユーザが装着した状態において、ユーザの視界方向を被写体方向として撮像するように、前方に向けて撮像レンズ３ａが配置されている。
また撮像レンズ３ａによる撮像方向に対して照明を行う発光部４ａが、例えばＬＥＤ（Light Emitting Diode）等により設けられる。
また、図では左耳側しか示されていないが、装着状態でユーザの右耳孔及び左耳孔に挿入できる一対のイヤホンスピーカ５ａが設けられる。
また右眼用の表示部２の右方と、左眼用の表示部２の左方に、外部音声を集音するマイクロホン６ａ，６ｂが配置される。
【００１７】
なお図１は一例であり、撮像表示装置１をユーザが装着するための構造は多様に考えられる。一般に眼鏡型、或いは頭部装着型とされる装着ユニットで形成されればよく、少なくとも本実施の形態としては、ユーザの眼の前方に近接して表示パネル部２ａ、２ｂが設けられ、また撮像レンズ３ａによる撮像方向がユーザの視界方向、つまりユーザの前方となるようにされていればよい。
また表示パネル部２ａ，２ｂとして両眼に対応して表示部が一対設けられる構成の他、片側の眼に対応して１つ表示部が設けられる構成でもよい。
またイヤホンスピーカ５ａは、左右のステレオスピーカとせずに、一方の耳にのみ装着するために１つ設けられるのみでもよい。またマイクロホンも、マイクロホン６ａ，６ｂのうちの一方でもよい。さらには、撮像表示装置１としてマイクロホンやイヤホンスピーカを備えない構成も考えられる。
また発光部４ａを設けない構成も考えられる。
撮像表示装置１として眼鏡型或いは頭部装着型の装着ユニットを有する例を示したが、例えばヘッドホン型、ネックバンドタイプ、耳掛け式など、どのような装着ユニットでユーザに装着されるものであってもよい。さらには、例えば通常の眼鏡やバイザー、或いはヘッドホン等に、クリップなどの取付具で取り付けることでユーザに装着させる形態であってもよい。
【００１８】
このような撮像表示装置１の使用状態の例を図２に示す。
この図２は、２つの撮像表示装置１Ａ、１Ｂを用い、例えばゴルフの講習の場において、一方のユーザとして講師Ｕ１が、撮像表示装置１Ａを装着しているとともに、他方のユーザとして、受講者Ｕ２も、同様の撮像表示装置１Ｂを装着している。
また、講師Ｕ１は、撮像表示装置１Ａに対応するリモートコントローラ３０を指に装着している。
リモートコントローラ３０については後述するが、指にはめた状態で各種の操作入力を行うことのできる装置とされ、このリモートコントローラ３０は、撮像表示装置１Ａに対してコマンド信号を無線送信する。
【００１９】
例えばこのように講師Ｕ１がリモートコントローラ３０を用いて操作を行うことで、撮像表示装置１Ａ、１Ｂの間での画像データ伝送が行われ、視覚交換としての動作を含む各種の動作が実現される。
例えば講師Ｕ１から見た受講者Ｕ２の姿（例えばスイングしている姿）を、撮像表示装置１Ｂで表示させて受講者Ｕ２自身がみることができるようにしたり、受講者Ｕ２の姿の画像を撮像表示装置１Ａで記録して、後に撮像表示装置１Ａ、１Ｂの一方又は両方で再生表示させることができる。
また受講者Ｕ２から見た講師Ｕ１の姿（例えばスイングフォームの見本の動作）を撮像表示装置１Ａで記録したり表示させることや、記録した画像を、撮像表示装置１Ａ、１Ｂの一方又は両方で再生表示させることができる。
【００２０】
［２．撮像表示装置の構成例］
撮像表示装置１（１Ａ、１Ｂ）の構成例を図３で説明する。
システムコントローラ１０は、例えばＣＰＵ（Central Processing Unit）、ＲＯＭ（Read Only Memory）、ＲＡＭ（Random Access Memory）、不揮発性メモリ部、インターフェース部を備えたマイクロコンピュータにより構成され、撮像表示装置１の全体を制御する制御部とされる。このシステムコントローラ１０は内部のＲＯＭ等に保持したプログラムに基づいて、各種演算処理やバス１３を介した各部と制御信号等のやりとりを行い、各部に所要の動作を実行させる。
【００２１】
撮像表示装置１内では、ユーザの視界方向の光景の撮像のための構成として、撮像部３が設けられる。
撮像部３は、撮像光学系、撮像素子部、撮像信号処理部を有する。
撮像部３における撮像光学系では、図１に示した撮像レンズ３ａや、絞り、ズームレンズ、フォーカスレンズなどを備えて構成されるレンズ系や、レンズ系に対してフォーカス動作やズーム動作を行わせるための駆動系等が備えられる。
また撮像部３における撮像素子部では、撮像光学系で得られる撮像光を検出し、光電変換を行うことで撮像信号を生成する固体撮像素子アレイが設けられる。固体撮像素子アレイは、例えばＣＣＤ（Charge Coupled Device）センサアレイや、ＣＭＯＳ（Complementary Metal Oxide Semiconductor）センサアレイとされる。
また撮像部３における撮像信号処理部では、固体撮像素子によって得られる信号に対するゲイン調整や波形整形を行うサンプルホールド／ＡＧＣ(Automatic Gain Control)回路や、ビデオＡ／Ｄコンバータを備え、デジタルデータとしての撮像画像データを得る。また撮像画像データに対してホワイトバランス処理、輝度処理、色信号処理、ぶれ補正処理などを行う。
これらの撮像光学系、撮像素子部、撮像信号処理部を有する撮像部３により、撮像が行われ、撮像画像データが得られる。
システムコントローラ１０は、この撮像部３における撮像動作のオン／オフ制御、撮像光学系のズームレンズ、フォーカスレンズの駆動制御、撮像素子部の感度やフレームレート制御、撮像信号処理部の各処理のパラメータや実行処理の設定などを行う。
【００２２】
この撮像部３の撮像動作によって得られた撮像画像データは、画像処理部１５を介して表示部２、ストレージ部１７，通信部１８に供給することができる。
画像処理部１５は、システムコントローラ１０の制御に従って、撮像画像データを所定の画像データフォーマットに変換する処理や、表示部２でモニタ表示させるための所要の信号処理を行う。表示部２でモニタ表示させるための信号処理とは、例えば輝度レベル調整、色補正、コントラスト調整、シャープネス（輪郭強調）調整、画面分割処理、キャラクタ画像の合成処理、拡大又は縮小画像の生成、モザイク画像／輝度反転画像／ソフトフォーカス／画像内の一部の強調表示／画像全体の色の雰囲気の可変などの画像エフェクト処理などである。
また画像処理部１５は、撮像部３，表示部２，ストレージ部１７、通信部１８の間の画像データの転送処理も行う。即ち、撮像部３からの撮像画像データを表示部２，ストレージ部１７，通信部１８に供給する処理や、ストレージ部１７で再生された画像データを表示部２に供給する処理や、通信部１８で受信した画像データを表示部２に供給する処理も行う。
【００２３】
撮像表示装置１においてユーザに対して表示を行う構成としては、表示部２が設けられる。この表示部２は、上述した液晶パネル等による表示パネル部２ａ、２ｂと、表示パネル部２ａ、２ｂを表示駆動する表示駆動部が設けられる。
表示駆動部は、画像処理部１５から供給される画像信号を、例えば液晶ディスプレイとされる表示パネル部２ａ，２ｂにおいて表示させるための画素駆動回路で構成されている。即ち表示パネル部２ａ，２ｂにおいてマトリクス状に配置されている各画素について、それぞれ所定の水平／垂直駆動タイミングで映像信号に基づく駆動信号を印加し、表示を実行させる。この処理により、撮像部３での撮像モニタとしての表示や、ストレージ部１７で再生された再生画像の表示、さらには通信部１８で受信された受信画像の表示が、表示パネル部２ａ、２ｂにおいて行われる。
また表示駆動部は、表示パネル部２ａ、２ｂの各画素の透過率を制御して、スルー状態（透明又は半透明の状態）とすることもできる。
システムコントローラ１０は、この表示部２における表示動作のオン／オフ（スルー）制御、表示する画像データに対する処理パラメータの指示、画面領域設定制御、キャラクタ発生指示などを行う。
【００２４】
また撮像表示装置１には、音声入力部６、音声処理部１６，音声出力部５が設けられる。
音声入力部６は、図１に示したマイクロホン６ａ，６ｂと、そのマイクロホン６ａ，６ｂで得られた音声信号を増幅処理するマイクアンプ部やＡ／Ｄ変換器を有し、音声データを出力する。
【００２５】
音声入力部６で得られた音声データは音声処理部１６に供給される。
音声処理部１６は、システムコントローラ１０の制御に応じて、音声データの転送を制御する。即ち音声入力部６で得られた音声データを、音声出力部５、ストレージ部１７、通信部１８に供給する。或いは、ストレージ部１７で再生された音声データや、通信部１８で受信された音声データを音声出力部５に供給する。
また音声処理部１６は、システムコントローラ１０の制御に基づいて、音量調整、音質調整、音響エフェクト等の処理を行う。
【００２６】
音声出力部５は、図１に示した一対のイヤホンスピーカ５ａと、そのイヤホンスピーカ５ａに対するアンプ回路やＤ／Ａ変換器を有する。
即ち音声処理部から供給された音声データはＤ／Ａ変換器でアナログ音声信号に変換され、アンプ回路で増幅されてイヤホンスピーカ５ａから音声として出力される。これによりユーザは外部音声を聞いたり、ストレージ部１７で再生された音声データや通信部１８で受信した音声データによる音声を聞くことができる。
なお音声出力部５は、いわゆる骨伝導スピーカを用いた構成とされてもよい。
【００２７】
ストレージ部１７は、所定の記録媒体に対して画像データ（及び音声データ）の記録再生を行う部位とされる。例えばＨＤＤ（Hard Disk Drive）として実現される。もちろん記録媒体としては、フラッシュメモリ等の固体メモリ、固体メモリを内蔵したメモリカード、光ディスク、光磁気ディスク、ホログラムメモリなど各種考えられ、ストレージ部１７としては採用する記録媒体に応じて記録再生を実行できる構成とされればよい。
このストレージ部１７は、システムコントローラ１０の制御に基づいて、撮像によって得られる画像データ（及び音声データ）を記録媒体に記録する。即ち、画像処理部１５を介して供給される画像データや音声処理部１６を介して供給される音声データに対して、記録媒体への記録のためのエンコード処理を行い、記録媒体に記録する。
またストレージ部１７はシステムコントローラ１０の制御に従って、記録した画像データ、音声データを再生することができる。再生した画像データは画像処理部１５を介して表示部２に供給され、音声データは音声処理部１６を介して音声出力部５に供給される。また再生した画像データ／音声データは、外部機器（他の撮像表示装置）に送信するデータとして通信部１８に供給することもできる。
【００２８】
通信部１８は外部機器である他の撮像表示装置との間でのデータの送受信を行う。つまり図２に示した撮像表示装置１Ａ、１Ｂは、それぞれが有する通信部１８により相互のデータ通信を実行する。
この通信部１８は、例えばブルートゥース通信や赤外線を用いた光通信などにより、近距離の撮像表示装置同志での通信を実行する構成が考えられる。但し、無線ＬＡＮその他のネットワーク通信で、所定の撮像表示装置同志間での通信を行う構成としても良い。
通信部１８に対しては、撮像部３で得られた撮像画像データが画像処理部１５を介して供給される。また音声入力部６で得られた音声データが音声処理部１６を介して供給される。通信部１８は、この画像データ及び音声データについて通信用のエンコード処理を行い、無線送信のための変調を行って外部機器に送信することができる。つまりこの撮像表示装置１で現在撮像及び集音されているリアルタイムの画像データ／音声データを、外部機器（他の撮像表示装置）に送信することができる。
また、ストレージ部１７で再生された画像データ及び音声データについて通信用のエンコード処理を行い、無線送信のための変調を行って他の撮像表示装置に送信することもできる。
【００２９】
また通信部１８は外部機器（他の撮像表示装置）から送信されてきた画像データ／音声データを受信し、復調して画像処理部１５及び音声処理部１６に供給する。この場合、表示部２と音声出力部５により、受信した画像及び音声の出力が行われる。
もちろん、通信部１８で受信した画像データ／音声データをストレージ部１７に供給して記録媒体に記録することも可能である。
【００３０】
また撮像表示装置１には照明部４と照明制御部１８が設けられる。照明部４は、図１に示した発光部４ａとその発光部４ａ（例えばＬＥＤ）を発光させる発光回路から成る。照明制御部１８は、システムコントローラ１０の指示に基づいて、照明部４に発光動作を実行させる。
照明部４における発光部４ａが図１に示したように取り付けられていることで、照明部４は撮像レンズ３ａによる被写体方向に対する照明動作を行うことになる。
【００３１】
この撮像表示装置１では、ユーザの操作のために操作入力部１１が設けられる。
上述のように、ユーザによる操作入力には、リモートコントローラ３０が用いられる。そのため、操作入力部１１は、リモートコントローラ３０からのコマンド信号を受信する受信部として構成されることになる。
操作入力部２０は、コマンド信号を受信したら、そのコマンド信号を復調して操作入力情報をシステムコントローラ１０に供給する。これによりシステムコントローラ１０はユーザの操作を検知し、操作に応じた所要の制御処理を行う。
【００３２】
なお、操作入力部１１として、例えばキー、ダイヤル等の操作子を有するようにし、キー操作等としてのユーザの操作を検知する構成としてもよいし、例えば表示パネル部２ａ，２ｂの表側にタッチパネル構造を設けたり、所定部分にタッチパッドを設けるなどして、ユーザのタッチ操作で操作入力が行われるようにしてもよい。
さらには、ユーザの意識的な挙動を検知する構成としても良い。
ユーザの挙動を検知する構成とする場合は、加速度センサ、角速度センサ、振動センサ、圧力センサ等を設けることが考えられる。
例えばユーザが撮像表示装置１を側面側からコツコツと軽く叩くといったことを、加速度センサ、振動センサ等で検知し、例えば横方向の加速度が一定値を越えたときにシステムコントローラ１０がユーザの操作として認識するようにすることができる。また、加速度センサや角速度センサによりユーザが右側から側部（眼鏡のツルに相当する部分）を叩いたか、左側から側部を叩いたかを検出できるようにすれば、それらを、それぞれ所定の操作として判別することもできる。
またユーザが頭を回す、首を振るなどとすることを加速度センサや角速度センサで検知し、これをシステムコントローラ１０がユーザの操作として認識することができる。
また、撮像表示装置１の左右の側部（眼鏡のツルに相当する部分）等に圧力センサを配置し、右側部をユーザが指で押したときは望遠方向のズーム操作、左側部をユーザが指で押したときは広角方向のズーム操作などとすることもできる。
【００３３】
さらには、生体センサとしての構成を備えるようにし、ユーザの生体情報を検出して、操作入力と認識するようにしても良い。生体情報とは、脈拍数、心拍数、心電図情報、筋電、呼吸情報（例えば呼吸の速さ、深さ、換気量など）、発汗、ＧＳＲ（皮膚電気反応）、血圧、血中酸素飽和濃度、皮膚表面温度、脳波（例えばα波、β波、θ波、δ波の情報）、血流変化、眼の状態などである。
そしてシステムコントローラ１０は生体センサの検出情報を、ユーザの操作入力として認識するようにしてもよい。例えばユーザの意識的な挙動として目の動き（視線方向の変化やまばたき）が考えられるが、ユーザが３回まばたきをしたことを検知したら、それを特定の操作入力と判断するなどである。さらには、上記生体情報の検知によりユーザが撮像表示装置１を装着したことや外したこと、あるいは特定のユーザが装着したことなども検出可能であり、システムコントローラ１０がその検出に応じて電源オン／オフなどを行うようにしてもよい。
【００３４】
以上、撮像表示装置１の構成を示したが、これは一例にすぎない。実際に実施されるシステム動作例や機能に応じて各種の構成要素の追加や削除は当然考えられる。
【００３５】
［３．リモートコントローラの構成例及び動作］
図４〜図７で、リモートコントローラ３０の構成例を説明する。
図４（ａ）は、ユーザの指にリモートコントローラ３０が装着されている状態を示している。また図５（ａ）はリモートコントローラ３０の斜視図を示している。
リモートコントローラ３０は、円筒状の本体部３１と、その本体部の周面に位置される円筒状の操作子部３２を有する。そしてユーザは、本体部３１に例えば人差し指をなどを差し入れて、指輪状に装着することができる構造となっている。
【００３６】
操作子部３２は、本体部３１に対して、スライド移動可能に取り付けられている。
図５（ｂ）（ｃ）（ｄ）は、操作子部３２をスライド移動させた各状態を示している。即ち操作子部３２は、図５（ｂ）のように、本体部３１の略中央部に位置する状態と、図５（ｃ）のように本体部３１の上方に移動された位置状態と、図５（ｄ）のように本体部３１の下方に移動された位置状態とに、それぞれスライド移動可能とされている。
つまり図４（ａ）の装着状態において、ユーザは親指を用いて操作子部３２を指先側に移動させたり、或いは指の付け根側に移動させることができる。
この各スライド位置により、操作モードの切換が行われる。
例えば図５（ｂ）のように中央位置にある状態が、ビデオ再生関係の操作を行うビデオ操作モードとされる。また図５（ｃ）の位置状態が、メニュー操作に関する操作のためのメニュー操作モードとされる。まら図５（ｄ）の位置状態が、表示パネル部２ａの透過率可変操作を行うためのシースル操作モードとされる。
ユーザは、操作子部３２を任意にスライドさせて、所望の操作モードを選択できる。
【００３７】
また、操作子部３２は図５（ｅ）（ｆ）に示すように、本体部３１に対して回転（左回転及び右回転）可能とされ、かつ押し込むことが可能とされている。
例えば操作子部３２の内径は、本体部３１の外径よりも大きくされており、操作子部３２は、部材３３を介して本体部３１の周囲に取り付けられている。部材３３は、弾性を有する材質又は構造とされている。
この状態で、操作子部３２は図５（ｅ）のように任意に回転させることができるとともに、側面から押圧することで、図５（ｆ）のように押し込むことができる。
ユーザは、図４のように指にはめた状態で、親指を用いて操作子部３２を任意の方向に回転させたり、親指で押しこむ操作が可能となる。
【００３８】
またリモートコントローラ３０は内部に姿勢検出部４１（図６で後述）を備え、リモートコントローラ３０自体の姿勢方向を検出できる。例えば図４（ｂ）のようにユーザが指を垂直方向に立てている状態と、図４（ｃ）のように指を水平方向に寝かせている状態を判定できる。
図４（ｂ）のように指を垂直にした場合、操作子部３２の回転方向は、水平方向となる。以降、このような姿勢を「水平回転姿勢」という。また図４（ｃ）のように指を水平にした場合、操作子部３２の回転方向は、垂直方向となる。以降、このような姿勢を「垂直回転姿勢」という。
例えばこの水平回転姿勢での回転操作と、垂直回転姿勢での回転操作は、異なる操作情報の操作入力とすることができる。後述するがユーザは、メニュー操作におけるカーソルの水平移動を指示する操作と、垂直移動を指示する操作とを、この姿勢変化により使い分けることができる。
【００３９】
図６により、リモートコントローラ３０の内部構成を説明する。
コマンド信号制御３５は、マイクロコンピュータにより形成され、操作入力等に応じたコマンド選択／送信動作の制御を行う。
ＲＯＭ３６には、リモートコントローラ３０が撮像表示装置１に送信する各種のコマンド信号としてのコード値が記憶されている。
コマンド送信部３７は、コマンド発生制御部３５から供給されるコマンドコードに対して変調処理及び送信処理を行う。
【００４０】
操作モード判定部３８は、図５（ｂ）（ｃ）（ｄ）で述べた操作子部３２のスライド位置状態を検出し、現在のスライド位置状態をコマンド発生制御部３５に通知する。この操作モード判定部３８は、例えばメカニカルな小型スイッチ構造や、フォトカプラ等を用いた位置センサなどにより構成できる。
回転検知部３９は、操作子部３２の回転方向及び回転量を検知し、その情報をコマンド発生制御部３５に通知する。これもスイッチ機構やフォトカプラ等で構成できる。
押圧検知部４０は、図５（ｆ）のような操作子部３２が押圧された状態を検知し、コマンド発生制御部３５に通知する。例えばスイッチ機構で実現可能である。
姿勢検出部４１は、図４（ｂ）（ｃ）のような水平回転姿勢、垂直回転姿勢の別を検出する。例えばジャイロセンサにより構成できる。なお、実際には完全な水平、垂直とは言えなくても、例えば４５°程度の傾きより水平に近いか垂直に近いかを判別して、水平回転姿勢、垂直回転姿勢のいずれかの検出信号をコマンド発生制御部３５に通知すればよい。
【００４１】
このようなリモートコントローラ３０における、コマンド発生制御部３５が実行するコマンド発信処理の例を図７で説明する。
コマンド発生制御部３５は、操作モード判定部３８，回転検知部３９、押圧検知部４０，姿勢検出部４１の各部からの情報に基づいて、図７の処理としてコマンド信号発信制御を行う。
【００４２】
コマンド発生制御部３５は、ステップＦ１０、Ｆ１１、Ｆ１２，Ｆ１３として、操作モード判定部３８，回転検知部３９、押圧検知部４０からの情報を監視する。
ステップＦ１０では、操作モード判定部３８からの検知情報として、操作子部３２のスライド移動があったか否かを監視する。つまり検知される操作子部３２の位置状態の変化を監視する。
コマンド発生制御部３５は、操作子部３２のスライド移動が検知された場合は、ステップＦ１４に進み、そのスライド移動後の位置状態に応じて内部でモードフラグをセットする。即ち、スライド移動により図５（ａ）の状態となった場合は、モードフラグをビデオ操作モードを示す値にセットする。またスライド移動により図５（ｂ）の状態となった場合は、モードフラグをメニュー操作モードを示す値にセットする。またスライド移動により図５（ｃ）の状態となった場合は、モードフラグをシースルー操作モードを示す値にセットする。
【００４３】
コマンド発生制御部３５は、回転検知部３９からの検知情報により、操作子部３２の右回転を認識した場合は、処理をステップＦ１１からＦ１５に進め、ここでモードフラグにより現在の操作モードを確認する。
そしてメニュー操作モードであれば（つまり図５（ｃ）のスライド位置で回転操作が行われたのであれば）、ステップＦ１６に進む。この場合は、姿勢検出部４１の現在の検出情報を確認して、現在水平回転姿勢にあるか垂直回転姿勢にあるかを判別する。
現在、垂直回転姿勢であった場合は、ステップＦ１７に進み、カーソルの下移動コマンドの出力制御を行う。つまりＲＯＭ３６に記憶されているコマンドコードのうちからカーソル下移動コマンドとしてのコマンドコードを選択し、これをコマンド送信部３７に供給して、撮像表示装置１Ａに対して送信させる。
また、現在水平回転姿勢であった場合は、ステップＦ１８に進み、カーソルの右移動コマンドの出力制御を行う。つまりＲＯＭ３６に記憶されているコマンドコードのうちからカーソル右移動コマンドとしてのコマンドコードを選択し、これをコマンド送信部３７に供給して、撮像表示装置１Ａに対して送信させる。
なお、このステップＦ１７，Ｆ１８，及び後述するステップＦ２３，Ｆ２４の処理で送信されるカーソル移動に関するコマンドに応じて撮像表示装置１Ａ側で行われるメニュー上の動作については図８で後述する。
【００４４】
ステップＦ１５の時点でビデオ操作モードと判定された場合（つまり図５（ｂ）のスライド位置で回転操作が行われた場合）は、コマンド発生制御部３５はステップＦ１９に進み、早戻し（ＲＥＷ）コマンドの出力制御を行う。つまりＲＯＭ３６に記憶されているコマンドコードのうちから早戻しコマンドとしてのコマンドコードを選択し、これをコマンド送信部３７に供給して、撮像表示装置１Ａに対して送信させる。
例えば撮像表示装置１Ａでは、この早戻しコマンドに応じて早戻し再生を行う。
【００４５】
ステップＦ１５の時点でシースル操作モードと判定された場合（つまり図５（ｄ）のスライド位置で回転操作が行われた場合）は、コマンド発生制御部３５はステップＦ２０に進み、透過率低下コマンドの出力制御を行う。つまりＲＯＭ３６に記憶されているコマンドコードのうちから透過率低下コマンドとしてのコマンドコードを選択し、これをコマンド送信部３７に供給して、撮像表示装置１Ａに対して送信させる。
例えば撮像表示装置１Ａでは、この透過率低下コマンドに応じて、表示パネル部２ａの透過率を下げる処理を行う。
【００４６】
コマンド発生制御部３５は、回転検知部３９からの検知情報により、操作子部３２の左回転を認識した場合は、処理をステップＦ１２からＦ２０に進め、ここでモードフラグにより現在の操作モードを確認する。
そしてメニュー操作モードであればステップＦ２２に進み、姿勢検出部４１の現在の検出情報を確認して、現在水平回転姿勢にあるか垂直回転姿勢にあるかを判別する。
現在、垂直回転姿勢であった場合は、ステップＦ２３に進み、カーソルの上移動コマンドの出力制御を行う。つまりＲＯＭ３６に記憶されているコマンドコードのうちからカーソル上移動コマンドとしてのコマンドコードを選択し、これをコマンド送信部３７に供給して、撮像表示装置１Ａに対して送信させる。
また、現在水平回転姿勢であった場合は、ステップＦ２４に進み、カーソルの左移動コマンドの出力制御を行う。つまりＲＯＭ３６に記憶されているコマンドコードのうちからカーソル左移動コマンドとしてのコマンドコードを選択し、これをコマンド送信部３７に供給して、撮像表示装置１Ａに対して送信させる。
【００４７】
ステップＦ２１の時点でビデオ操作モードと判定された場合は、コマンド発生制御部３５はステップＦ２５に進み、早送り（ＦＦ）コマンドの出力制御を行う。つまりＲＯＭ３６に記憶されているコマンドコードのうちから早送りコマンドとしてのコマンドコードを選択し、これをコマンド送信部３７に供給して、撮像表示装置１Ａに対して送信させる。
例えば撮像表示装置１Ａでは、この早送りコマンドに応じて早送り再生を行う。
【００４８】
ステップＦ２１の時点でシースル操作モードと判定された場合は、コマンド発生制御部３５はステップＦ２６に進み、透過率上昇コマンドの出力制御を行う。つまりＲＯＭ３６に記憶されているコマンドコードのうちから透過率上昇コマンドとしてのコマンドコードを選択し、これをコマンド送信部３７に供給して、撮像表示装置１Ａに対して送信させる。
例えば撮像表示装置１Ａでは、この透過率上昇コマンドに応じて、表示パネル部２ａの透過率を上げる処理を行う。
【００４９】
コマンド発生制御部３５は、押圧検知部４０からの検知情報により押圧操作を認識した場合は、処理をステップＦ１３からＦ２７に進め、この場合決定コマンドの出力制御を行う。つまりＲＯＭ３６に記憶されているコマンドコードのうちから決定コマンドとしてのコマンドコードを選択し、これをコマンド送信部３７に供給して、撮像表示装置１Ａに対して送信させる。
例えば撮像表示装置１Ａでは、この決定コマンドに応じて、そのときの動作状態に基づいた処理を行う。例えばメニュー項目の選択中であれば、選択決定の操作入力と認識する。この場合、選択された項目によった処理や、ビデオコンテンツが選択された場合は、そのビデオコンテンツの画像再生処理を行う。
また画像再生中であれば、決定コマンドを再生停止の操作入力として認識し、また再生停止中であれば決定コマンドを再生再開の操作入力として認識する。
また撮像画像データの記録や送信のスタンバイ中であれば、決定コマンドを撮像画像データの記録開始、送信開始の操作入力として認識し、また記録又は送信の動作中であれば決定コマンドを記録又は送信の停止の操作入力として認識する。
【００５０】
以上のようにリモートコントローラ３０では、ユーザの操作入力に応じてコマンド信号を撮像表示装置１Ａに送信する。図７の処理により、操作子部３２のスライド、回転、押圧、姿勢に応じて、ユーザが必要とする各種の操作入力情報をコマンド信号として撮像表示装置１Ａに供給できることになる。
【００５１】
なお、この図７の例では、コマンド発生制御部３５が具体的なコマンド内容を示すコマンドコードを選択して撮像表示装置１Ａに送信するものとしたが、リモートコントローラ３０は、操作子部３２に対する操作や姿勢の検知内容のみを示す情報をコマンドコードとして送信するようにしてもよい。
即ち、コマンド発生制御部３５は、操作子部３２のスライド、回転、押圧などを認識した場合に、スライド位置（スライド位置による操作モード）の情報、回転方向の情報、押圧情報、姿勢情報について、それら自体をコマンド信号として、撮像表示装置１Ａに送信する。その場合は、撮像表示装置１Ａ側でシステムコントローラ１０が、スライド位置の情報、回転方向の情報、姿勢情報、押圧情報から図７のような判断で操作入力の内容を判断するようにすればよい。
例えばスライド位置情報としてビデオ操作モードに相当する情報と、右回転という情報が送信されてくれば、撮像表示装置１Ａのシステムコントローラ１０は、図７と同等の処理を行うことで、それを早戻しコマンドであると判定することができる。
同様に例えば、スライド位置情報としてメニュー操作モードに相当する情報と、左回転という情報と、水平回転姿勢という情報が送信されてくれば、撮像表示装置１Ａのシステムコントローラ１０は、図７と同等の処理を行うことで、それをカーソル左移動コマンドであると判定することができる。
【００５２】
つまり、リモートコントローラ３０は、単純にユーザの操作にかかる操作子部３２の状態変化の情報や姿勢をコマンド信号として送信し、実際のコマンド信号としての内容は撮像表示装置１Ａのシステムコントローラ１０側で解釈するという方式である。
このようにすると、リモートコントローラ３０側でコマンドコードを記憶するＲＯＭ３６を不要とでき、また送信制御処理も簡易となり、リモートコントローラ３０の小型化にもより好適となる。
【００５３】
ところで、上記図７のステップＦ１７、Ｆ１８、Ｆ２３、Ｆ２４ではカーソル移動コマンドが送信出力されるが、このカーソル移動コマンドに応じた撮像表示装置１Ａ側のメニュー上の制御の例について図８で説明する。
図８ではメニュー形式として横方向にメインメニュー項目ＭＭ（ＭＭ１，ＭＭ２，ＭＭ３，ＭＭ４，ＭＭ５）が表示される例を示している。このメインメニュー項目ＭＭは、実際には主たるメニュー項目の内容を示す画像や文字などであり、例えば「機器設定」「ビデオ」「オーディオ」「操作設定」・・・などといった項目が用意される。
【００５４】
そして、各メインメニュー項目には、サブメニュー項目ＭＳが用意され、カーソルＫが位置しているメインメニュー項目についてサブメニュー項目ＭＳが表示される。
例えば図８（ａ）では、カーソルＫはメインメニュー項目ＭＭ１に位置しているが、この場合、メインメニュー項目ＭＭ１についてのサブメニュー項目ＭＳ（ＭＳ１１、ＭＳ１２，ＭＳ１３）が縦方向に表示される。
また図８（ｂ）のように、カーソルＫがメインメニュー項目ＭＭ３に移動された場合、メインメニュー項目ＭＭ３についてのサブメニュー項目ＭＳ（ＭＳ３１、ＭＳ３２）が縦方向に表示される。
例えばメインメニュー項目ＭＭ１が「機器設定」の場合、サブメニュー項目ＭＳ１１、ＭＳ１２，ＭＳ１３として、各種の機器設定項目が表示される。
またメインメニュー項目ＭＭ３「ビデオ」の場合、サブメニュー項目ＭＳ３１，ＭＳ３２として、例えばストレージ部１７に記録されている画像コンテンツが表示される。
【００５５】
システムコントローラ１０は、表示部２においてこのようなメニュー画面を表示させた状態で、ユーザの操作に応じてカーソル移動やメニュー項目決定に応じた処理を行う。
ユーザは、表示パネル部２ａ上で表示されるメニュー画面を見ながら、リモートコントローラ３０を用いてメニュー操作を行うことができる。
例えば指を図４（ｂ）の水平回転姿勢として操作子部３２を左右回転させることで、システムコントローラ１０がカーソル左移動コマンド、又はカーソル右移動コマンドを認識してカーソル移動制御を行う。これによって表示上では、例えば図８（ａ）から図８（ｂ）のようにカーソルＫがメインメニュー項目ＭＭ上を移動（カーソルが左右に移動）される。
またユーザが、指を図４（ｃ）の垂直回転姿勢として操作子部３２を左右回転させることで、システムコントローラ１０がカーソル上移動コマンド、又はカーソル下移動コマンドを認識してカーソル移動制御を行う。これによって表示上では、例えば図８（ｂ）から図８（ｃ）のようにカーソルＫがサブメニュー項目ＭＳ上を移動（カーソルが上下に移動）される。
つまり、ユーザの回転操作による操作子部３２の回転方向に応じて、メニュー画面上でカーソルが左右又は上下に移動されることになり、操作子部３２の回転と、姿勢によって、いわゆる十字方向キーと同様の操作を行うことが可能とされる。
【００５６】
また、ユーザは、このようにカーソルＫを移動させた後、選択決定する場合は、操作子部３２を押圧すればよい。これをシステムコントローラ１０は決定コマンドと認識する。例えば図８（ｃ）のカーソルＫの状態でユーザが操作子部３２を押圧すれば、システムコントローラ１０は、サブメニュー項目ＭＳ３２の決定操作と認識し、その決定操作に応じた制御処理を実行する。
【００５７】
以上のようにリモートコントローラ３０を用いてメニュー操作（カーソル移動操作や決定操作）を行うことができるため、メニュー項目の設定により、リモートコントローラ３０を用いて非常に多様な操作を実行できることになる。
【００５８】
［４．被制御機器モード設定処理］
例えば図２のように、講師Ｕ１が撮像表示装置１Ａとリモートコントローラ３０を装着し、受講者Ｕ２が撮像表示装置１Ｂを装着しているような状況においては、講師Ｕ１は、各撮像表示装置１Ａ、１Ｂの撮像動作や、撮像画像データの転送による視覚交換動作を、リモートコントローラ３０を用いて操作できる。
リモートコントローラ３０は撮像表示装置１Ａに対応する操作機器であり、リモートコントローラ３０から送信されるコマンド信号は、例えば撮像表示装置１Ａの装置ＩＤが含まれるなどにより、対象機器が指定されていることにより、撮像表示装置１Ａで受信復調される。この場合、リモートコントローラ３０からのコマンド信号に、他方の撮像表示装置１Ｂが直接対処することはない。つまり撮像表示装置１Ｂ側では、リモートコントローラ３０からのコマンド信号を受信しても、コマンド信号とともに受信される装置ＩＤが自分ではないこと判別した場合、そのコマンド信号は無効であるとする。
例えばこのようにすることで、リモートコントローラ３０は、撮像表示装置１Ａに対応する操作機器として位置づけることができる。
【００５９】
従って、講師Ｕ１は、リモートコントローラ３０により、基本的には自分が装着している撮像表示装置１Ａに関する操作を行うことができるが、本例では、講師Ｕ１は、さらにリモートコントローラ３０によって、受講者Ｕ２側の撮像表示装置１Ｂに所要の動作を実行させることができる。
特に、撮像動作に関しては、撮像表示装置１Ａでの実行を指示する他、撮像表示装置１Ｂ側で実行させることができる。
また、画像撮像時や再生時の表示に関しては、撮像表示装置１Ａでの実行を指示する他、撮像表示装置１Ｂ側で実行させたり、或いは両方で実行させることができる。
また各撮像表示装置１Ａ、１Ｂの各表示部２の表示パネル部２ａ、２ｂの透過率を指示できる。
【００６０】
これらの場合として、具体的には次のような動作をリモートコントローラ３０により指示することが可能となる。
・撮像表示装置１Ａで撮像して、撮像画像データを、撮像表示装置１Ａで記録（及び／又は表示）させる。
・撮像表示装置１Ｂで撮像して、撮像画像データを、撮像表示装置１Ａで記録（及び／又は表示）させる。
・撮像表示装置１Ａで撮像して、撮像画像データを、撮像表示装置１Ｂで表示させる。この場合、撮像表示装置１Ａ側では撮像画像データを記録及び／又は表示させてもよい。
・撮像表示装置１Ａで再生する撮像画像データを、撮像表示装置１Ａで表示させる。
・撮像表示装置１Ａで再生する撮像画像データを、撮像表示装置１Ｂで表示させる。
・撮像表示装置１Ａで再生する撮像画像データを、撮像表示装置１Ａ、１Ｂの両方で表示させる。
・撮像表示装置１Ａの表示部２の透過率を上下させる。
・撮像表示装置１Ｂの表示部２の透過率を上下させる。
・撮像表示装置１Ａ、１Ｂの両方の表示部２の透過率を上下させる。
【００６１】
これらの各種の動作を実行させるようにするため、撮像表示装置１Ａでは、リモートコントローラ３０からの操作に応じて、被制御機器モードが設定される。
例えば撮像表示装置１Ａでは、図８で説明したようなメニュー項目において、被制御機器モードの設定項目が用意されており、講師Ｕ１は、リモートコントローラ３０を用いてメニュー操作を行うことで、被制御機器モードとして「自機モード」「他機モード」「両機モード」を選択できる。
【００６２】
この場合、講師Ｕ１は、リモートコントローラ３０を用いて上述のメニュー操作モードでの操作を行う。即ちカーソル移動コマンドや決定コマンドをリモートコントローラ３０から撮像表示装置１Ａに送信させる。
これに応じて撮像表示装置１Ａのシステムコントローラ１０はメニュー表示や、メニュー表示上でのカーソル移動などの処理を行うが、特に図９に示すように、ステップＦ１０１でメニュー操作の決定コマンド（被制御機器モードを指定するメニュー操作の決定コマンド）が受信されたら、ステップＦ１０２で、その操作に応じて、被制御機器モードを「自機モード」「他機モード」「両機モード」のいずれかに設定する。これによって、システムコントローラ１０は、内部的に被制御機器モードを切り換える。
【００６３】
自機モードの場合、システムコントローラ１０は、基本的に次の処理を行う。
リモートコントローラ３０からの撮像画像記録の指示があった場合は、システムコントローラ１０は自機（撮像表示装置１Ａ）の撮像部３で撮像させ、ストレージ部１７での記録を実行させる。
また再生指示があった場合は、システムコントローラ１０は自機（撮像表示装置１Ａ）のストレージ部１７で画像データを再生させ自機（撮像表示装置１Ａ）の表示部２での表示を実行させる。
また透過率制御の指示があった場合は、システムコントローラ１０は自機（撮像表示装置１Ａ）の表示部２の透過率を制御する。
【００６４】
また他機モードの場合、システムコントローラ１０は、基本的に次の処理を行う。
リモートコントローラ３０からの撮像画像記録の指示があった場合は、システムコントローラ１０は他機（撮像表示装置１Ｂ）の撮像部３に撮像を実行させ、自機（撮像表示装置１Ａ）のストレージ部１７で画像データの記録を実行させる。
また再生指示があった場合は、システムコントローラ１０は自機（撮像表示装置１Ａ）のストレージ部１７で画像データを再生させ他機（撮像表示装置１Ｂ）の表示部２での表示を実行させる。
また透過率制御の指示があった場合は、システムコントローラ１０は他機（撮像表示装置１Ｂ）の表示部２の透過率を制御する。
【００６５】
また両機モードの場合、システムコントローラ１０は、基本的に次の処理を行う。
リモートコントローラ３０からの再生指示があった場合は、システムコントローラ１０は自機（撮像表示装置１Ａ）のストレージ部１７で画像データを再生させ、自機（撮像表示装置１Ａ）の表示部２での表示を実行させるとともに、他機（撮像表示装置１Ｂ）の表示部２での表示を実行させる。
また透過率制御の指示があった場合は、システムコントローラ１０は自機（撮像表示装置１Ａ）及び他機（撮像表示装置１Ｂ）の表示部２の透過率を制御する。
【００６６】
［５．透過率制御処理］
講師Ｕ１がリモートコントローラ３０を上述したシースルー操作モードとして操作した場合の撮像表示装置１Ａのシステムコントローラ１０の処理を図１０に示す。
なお以下では、説明のわかりやすさを考え、撮像表示装置１Ａのシステムコントローラ１０を「システムコントローラ１０（Ａ）」、撮像表示装置１Ｂのシステムコントローラ１０を「システムコントローラ１０（Ｂ）」と記載する。
同様に、撮像部３、表示部２、ストレージ部１７、通信部１８などの他の部位についても、撮像表示装置１Ａ側の場合は撮像部３（Ａ）、表示部２（Ａ）、ストレージ部１７（Ａ）、通信部１８（Ａ）、撮像表示装置１Ｂ側の場合は撮像部３（Ｂ）、表示部２（Ｂ）、ストレージ部１７（Ｂ）、通信部１８（Ｂ）というように記載する。
【００６７】
リモートコントローラ３０から透過率上昇又は低下を指示する透過率制御コマンドが送信されてきた場合、システムコントローラ１０（Ａ）は、処理を図１０のステップＦ２０１からＦ２０２に進める。ここで、現在選択されている被制御機器モード（上記図９の処理で選択された被制御機器モード）に応じて処理を分岐する。
【００６８】
現在、自機モードであったら、システムコントローラ１０（Ａ）はステップＦ２０３に進み、自機（撮像表示装置１Ａ）の表示部２（Ａ）に対して透過率の上昇又は低下の制御を行う。
【００６９】
現在、他機モードであったら、システムコントローラ１０（Ａ）はステップＦ２０５に進み、透過率制御コマンドを通信部１８（Ａ）から他機（撮像表示装置１Ｂ）に送信させる。撮像表示装置１Ｂ側のシステムコントローラ１０（Ｂ）は、撮像表示装置１Ａ側からの透過率制御コマンドを受信したら、ステップＦ３０１からＦ３０２に進み、その撮像表示装置１Ｂ側の表示部２（Ｂ）に対して透過率の上昇又は低下の制御を行う。
【００７０】
現在、両機モードであったら、システムコントローラ１０（Ａ）はステップＦ２０４に進み、まず自機（撮像表示装置１Ａ）の表示部２（Ａ）に対して透過率の上昇又は低下の制御を行う。そしてさらにステップＦ２０５で、透過率制御コマンドを通信部１８（Ａ）から他機（撮像表示装置１Ｂ）に送信させる。撮像表示装置１Ｂ側のシステムコントローラ１０（Ｂ）は、撮像表示装置１Ａ側からの透過率制御コマンドを受信したら、ステップＦ３０１からＦ３０２に進み、その撮像表示装置１Ｂ側の表示部２（Ｂ）に対して透過率の上昇又は低下の制御を行う。
【００７１】
以上の処理が行われることで、講師Ｕ１は、リモートコントローラ３０を用いて、自分が装着している撮像表示装置１Ａの表示部２の透過率を任意に変化させることができるとともに、受講者Ｕ２が装着している撮像表示装置１Ａの表示部２の透過率を任意に変化させることもできる。さらに、撮像表示装置１Ａ、１Ｂの両方の表示部２の透過率を同時に変化させることもできる。
【００７２】
［６．撮像処理（自機撮像、自機記録、自機表示）］
講師Ｕ１がリモートコントローラ３０を操作して、撮像を実行させる場合の処理を説明する。まずここでは、撮像表示装置１Ａが自機モードとされている場合について述べる。
例えば撮像表示装置１Ａの操作メニューのメニュー項目には、撮像画像データの撮像及び記録の項目が用意されており、講師Ｕ１は、メニュー操作モードでリモートコントローラ３０を操作することで、撮像表示装置１Ａに、撮像画像の記録の指示を行うことができる。
撮像表示装置１Ａのシステムコントローラ１０（Ａ）は、例えばメニュー操作により撮像画像データの記録の指示があった場合は、処理を図１１のステップＦ４０１からＦ４０２に進め、ここで現在の被制御機器モードを判別する。
ここでは自機モードか他機モードかによって処理を分岐する。なお、この時点で両機モードであった場合については後述する。
【００７３】
自機モードであった場合は、システムコントローラ１０（Ａ）は図１２の処理に進むことになる。これは、撮像表示装置１Ａが、自機で撮像した撮像画像データを記録する処理となる。
まず図１２のステップＦ４０３では、システムコントローラ１０（Ａ）は表示部２（Ａ）をシースルー状態もしくは撮像モニタ状態に制御する。
撮像モニタ状態とは、撮像部３（Ａ）で得られる撮像画像データを、表示部２（Ａ）で表示させる状態である。つまり現在撮像している画像を、ユーザが表示部２（Ａ）で確認できるようにする状態である。表示部２（Ａ）を撮像モニタ状態とすることで、以降、表示部２（Ａ）の表示パネル部２ａ、２ｂには、撮像部３（Ａ）で得られた撮像画像データのモニタ表示が実行される。
ただし、撮像部３（Ａ）は、ユーザの視界方向を撮像するものであるため、撮像部３（Ａ）で得られる撮像画像は、シースルーとされた表示部２（Ａ）を介してユーザが見ている画像とほぼ同等である。このため、表示部２（Ａ）の表示パネル部２ａ、２ｂはシースルー状態でもよいものである。
【００７４】
次にシステムコントローラ１０（Ａ）は、ステップＦ４０４で、撮像部３（Ａ）に撮像開始を指示するとともに、ストレージ部１７（Ａ）に対して記録スタンバイを指示する。これによって撮像部３（Ａ）は画像撮像を開始する。
【００７５】
以降、システムコントローラ１０（Ａ）は、リモートコントローラ３０からの決定コマンド（操作子部３２の押圧操作によるコマンド）を待機する。システムコントローラ１０（Ａ）は、記録スタンバイ中に決定コマンドが受信された場合は、それを記録の開始操作と判断する。またシステムコントローラ１０（Ａ）は、記録中に決定コマンドが受信された場合は、それを記録の停止操作と判断する。
従って、ステップＦ４０４で記録スタンバイとなった際に、決定コマンドが受信されたら、システムコントローラ１０（Ａ）はそれを開始コマンドと解釈して、処理をステップＦ４０５からＦ４０６に進める。そしてストレージ部１７（Ａ）に撮像画像データの記録開始を指示する。これによって、撮像部３（Ａ）で得られた撮像画像データの記録が開始される。
【００７６】
ステップＦ４０６の制御で記録が開始された後において、決定コマンドが受信されたら、システムコントローラ１０（Ａ）はそれを停止コマンドと解釈して、処理をステップＦ４０７からＦ４０８に進める。この場合システムコントローラ１０（Ａ）は、ストレージ部１７（Ａ）に撮像画像データの記録の停止を指示する。これによって、撮像部３（Ａ）で得られた撮像画像データの記録が停止される。ストレージ部１７（Ａ）は記録スタンバイ状態となる。
【００７７】
その後、さらに決定コマンドが受信されたら、システムコントローラ１０（Ａ）は、それを開始コマンドと解釈して、ステップＦ４０５からＦ４０６に進んで記録を再開させる。また、その後決定コマンドが受信されたら、停止コマンドと解釈し、ステップＦ４０７からＦ４０８に進み、記録動作を停止させる。
従って、講師Ｕ１は、リモートコントローラ３０の操作子部３２の押圧を行うことで、撮像画像データの記録を実行させたり停止させたりすることができる。特には、撮像画像データの記録は、講師Ｕ１の視界光景である。つまり講師Ｕ１自身が撮像を気にしていなくても、講師Ｕ１が注目すべきと考えて見ている箇所（例えば受講者Ｕ２のスイングフォームとして注意する箇所など）を的確に捉えた画像となる。
【００７８】
システムコントローラ１０（Ａ）は終了トリガを検出したら、ステップＦ４０９からＦ４１０に進み、撮像／記録の終了処理を行って一連の処理を終える。
終了トリガは、例えば講師Ｕ１がメニュー操作等を行って、撮像画像記録の終了を指示できるようにしてもよいし、リモートコントローラ３０の所定の操作（例えば２連続押圧など）を終了操作とするようにしてもよい。
またステップＦ４０８で記録スタンバイ状態で一定時間以上経過したら、それを終了トリガとシステムコントローラ１０（Ａ）が判断するようにしてもよい。
終了処理としては、例えば各部を、ステップＦ４０１で撮像画像記録の指示が出た直前の状態に戻す。
【００７９】
［７．撮像処理（他機撮像、自機記録、自機表示）］
撮像表示装置１Ａのシステムコントローラ１０（Ａ）は、撮像画像データの記録の指示があり、処理を図１１のステップＦ４０１からＦ４０２に進め、現在の被制御機器モードが他機モードであった場合は、図１３の処理に進むことになる。これは、撮像表示装置１Ａが、他機（撮像表示装置１Ｂ）で撮像した撮像画像データを記録及び表示する処理となる。
【００８０】
まず図１３のステップＦ４２０では、システムコントローラ１０（Ａ）は、撮像及び送信スタンバイのコマンドを、通信部１８（Ａ）から撮像表示装置１Ｂに送信させる。またストレージ部１７（Ａ）について記録スタンバイを指示する。
【００８１】
撮像表示装置１Ｂ側のシステムコントローラ１０（Ｂ）は、撮像表示装置１Ａからの撮像及び送信スタンバイのコマンドを受信したら、処理をステップＦ５０１からＦ５０２に進め、その撮像表示装置１Ｂの表示部２（Ｂ）をシースルー状態もしくは撮像モニタ状態に制御する。そして次に撮像表示装置１Ｂのシステムコントローラ１０（Ｂ）は、ステップＦ５０３で、撮像部３（Ｂ）に撮像開始を指示するとともに、通信部１８（Ｂ）に対して送信スタンバイを指示する。これによって撮像部３（Ｂ）は画像撮像を開始する。
【００８２】
撮像表示装置１Ａのシステムコントローラ１０（Ａ）は、リモートコントローラ３０からの決定コマンド（操作子部３２の押圧操作によるコマンド）を待機する。上述の図１２の場合と同様、システムコントローラ１０（Ａ）は、記録スタンバイ中に決定コマンドが受信された場合は、それを記録の開始操作と判断する。またシステムコントローラ１０（Ａ）は、記録中に決定コマンドが受信された場合は、それを記録の停止操作と判断する。
従って、ステップＦ４２０で記録スタンバイとした際に、決定コマンドが受信されたら、システムコントローラ１０はそれを開始コマンドと解釈して、処理をステップＦ４２１からＦ４２２に進める。ここではまず、システムコントローラ１０（Ａ）は送信開始コマンドを、通信部１８（Ａ）から撮像表示装置１Ｂに送信させる。
撮像表示装置１Ｂのシステムコントローラ１０（Ｂ）は、送信開始コマンドの受信を認識したら、ステップＦ５０４からＦ５０５に進み、撮像画像データの送信を開始させる。即ち撮像部３（Ｂ）で得られる撮像画像データを、通信部１８（Ｂ）により撮像表示装置１Ａに送信する動作を開始させる。
撮像表示装置１Ａ側のシステムコントローラ１０（Ａ）は、ステップＦ４２３で、撮像表示装置１Ｂから送信されてくる撮像画像データを通信部１８（Ａ）で受信し、ストレージ部１７（Ａ）で記録する動作を開始させる。
また、ステップＦ４２５として、システムコントローラ１０（Ａ）は、撮像表示装置１Ｂから送信されてくる撮像画像データを表示部２（Ａ）で表示する動作も開始させる。
なお、特にこの場合に、表示部２（Ａ）での表示は実行させない設定も可能である。例えばメニュー操作により講師Ｕ１が任意に設定できる。表示部２で表示させない設定がなされている場合は、ステップＦ４２４からステップＦ４２５に進まないようにする。
【００８３】
このステップＦ４２２、Ｆ４２３，Ｆ４２５の処理により、撮像表示装置１Ｂで撮像されている撮像画像データが、撮像表示装置１Ａ側で記録されるとともに表示される。
従って撮像表示装置１Ａを装着している講師Ｕ１は、撮像表示装置１Ｂを装着している受講者Ｕ２の視界光景を、表示部２（Ａ）において見ることができる。
【００８４】
ステップＦ４２３の制御で記録が開始された後において、リモートコントローラ３０からの決定コマンドが受信されたら、システムコントローラ１０（Ａ）はそれを停止コマンドと解釈して、処理をステップＦ４２６からＦ４２７に進める。この場合システムコントローラ１０（Ａ）は、送信停止コマンドを、通信部１８（Ａ）から撮像表示装置１Ｂに送信させる。
撮像表示装置１Ｂのシステムコントローラ１０（Ｂ）は、送信停止コマンドの受信を認識したら、ステップＦ５０６からＦ５０７に進み、通信部１８（Ｂ）による撮像画像データの送信を停止させる。そして送信スタンバイ状態とする。
撮像表示装置１Ａ側では、システムコントローラ１０（Ａ）は、ステップＦ４２８で、ストレージ部１７に撮像画像データの記録の停止を指示する。また表示部２での受信した撮像画像データの表示を停止させ、例えばシースルー状態に戻す。
つまり、撮像表示装置１Ｂ側での送信が停止されるとともに、撮像表示装置１Ａ側での記録及び表示が停止されることになる。
【００８５】
その後、さらにリモートコントローラ３０からの決定コマンドが受信されたら、システムコントローラ１０（Ａ）をそれを開始コマンドと解釈して、ステップＦ４２１からＦ４２２、Ｆ４２３、Ｆ４２５に進んで上記同様の処理を行うことで、撮像表示装置１Ｂ側で送信が再開され、撮像表示装置１Ａ側での記録及び表示が再開されることになる。
また、その後リモートコントローラ３０からの決定コマンドが受信されたら、システムコントローラ１０（Ａ）は停止コマンドと解釈し、ステップＦ４２６からＦ４２７，Ｆ４２８に進み、上記同様の処理を行うことで、撮像表示装置１Ｂ側で送信が停止され、撮像表示装置１Ａ側での記録及び表示が停止されることになる。
【００８６】
従って、講師Ｕ１は、リモートコントローラ３０の操作子部３２の押圧を行うことで、受講者Ｕ２の視界光景の画像の記録や表示を実行させたり停止させたりすることができる。
例えば図１５（ｂ）は、受講者Ｕ２が装着している撮像表示装置１Ｂで撮像される画像の例として、講師Ｕ１の撮像画像を示しているが、講師Ｕ１がリモートコントローラ３０で操作することで、講師Ｕ１が装着している撮像表示装置１Ａにおいて、このような講師Ｕ１自身の画像の記録や表示が任意に可能となる。
【００８７】
システムコントローラ１０（Ａ）は終了トリガを検出したら、ステップＦ４２９からＦ４３０に進み、通信部１８（Ａ）から撮像表示装置１Ｂに終了通知を送信させる。
またステップＦ４２１で終了処理を行って一連の処理を終える。
終了トリガは、例えば講師Ｕ１がメニュー操作等を行って、撮像画像記録の終了を指示できるようにしてもよいし、リモートコントローラ３０の所定の操作（例えば２連続押圧など）を終了操作とするようにしてもよい。
またステップＦ４２８で記録スタンバイ状態で一定時間以上経過したら、それを終了トリガとシステムコントローラ１０が判断するようにしてもよい。
終了処理としては、例えば各部を、ステップＦ４０１で撮像画像記録の指示が出た直前の状態に戻す。
一方、撮像表示装置１Ｂ側では、終了通知を受信したら、システムコントローラ１０（Ｂ）はステップＦ５０８からＦ５０９に進み、撮像部３（Ｂ）の撮像動作終了などの終了処理を行って、処理を終える。
【００８８】
［８．撮像処理（自機撮像、自機記録、他機表示）］
以上の図１２，図１３のように、撮像表示装置１Ａでは、自機の撮像部３（Ａ）で撮像した撮像画像データをストレージ部１７（Ａ）で記録したり、他機の撮像部３（Ｂ）で撮像した撮像画像データをストレージ部１７（Ａ）で記録したり、表示部２（Ａ）で表示させることができるが、さらに、次の図１４のような処理例も考えられる。
図１４は、撮像表示装置１Ａが撮像部３（Ａ）で撮像した撮像画像データを、ストレージ部１７（Ａ）で記録するとともに、撮像表示装置１Ｂの表示部２（Ｂ）で表示させる処理例である。
【００８９】
この図１４の処理は、例えば上記図１１のステップＦ４０２で自機モードと判断された際の処理の他の例と考えることができる。図１４において、図１２と同一の処理は同一のステップ番号を付している。
システムコントローラ１０（Ａ）は図１４の処理に進んだ場合、ステップＦ４０３で、は表示部２（Ａ）をシースルー状態もしくは撮像モニタ状態に制御する。
またステップＦ４４０で、システムコントローラ１０（Ａ）は、撮像部３（Ａ）に撮像開始を指示する。これによって撮像部３（Ａ）は画像撮像を開始する。またシステムコントローラ１０（Ａ）は、通信部１８（Ａ）に対して送信スタンバイを指示するとともに、ストレージ部１７（Ａ）に対して記録スタンバイを指示する。
【００９０】
以降、システムコントローラ１０（Ａ）は、リモートコントローラ３０からの決定コマンド（操作子部３２の押圧操作によるコマンド）を待機する。システムコントローラ１０（Ａ）は、送信及び記録スタンバイ中に決定コマンドが受信された場合は、それを送信及び記録の開始操作と判断する。またシステムコントローラ１０（Ａ）は、送信及び記録中に決定コマンドが受信された場合は、それを送信及び記録の停止操作と判断する。
従って、ステップＦ４４０で送信スタンバイ、記録スタンバイとなった際に、決定コマンドが受信されたら、システムコントローラ１０（Ａ）はそれを開始コマンドと解釈して、処理をステップＦ４０５からＦ４４１に進める。
ステップＦ４４１では、システムコントローラ１０（Ａ）は、表示スタンバイのコマンドを、通信部１８（Ａ）から撮像表示装置１Ｂに送信させる。
またステップＦ４４２で、ストレージ部１７（Ａ）に撮像画像データの記録開始を指示するとともに、通信部１８（Ａ）に撮像画像データの送信開始を指示する。これによって、撮像部３（Ａ）で得られた撮像画像データの記録及び送信が開始される。
【００９１】
撮像表示装置１Ｂ側のシステムコントローラ１０（Ｂ）は、撮像表示装置１Ａからの表示スタンバイのコマンドを受信したら、処理をステップＦ７０１からＦ７０２に進め、その撮像表示装置１Ｂの表示部２（Ｂ）に対して、受信画像の表示を指示する。例えばシースルー状態から、画像表示状態となるように制御する。
その後、撮像表示装置１Ａ側のステップＦ４４２により、撮像画像データが送信されてくるため、システムコントローラ１０（Ｂ）は、ステップＦ７０３で、通信部１８（Ｂ）で受信される撮像画像データについての表示部２（Ｂ）での表示を開始させる。
【００９２】
このステップＦ４４１，Ｆ４４２、及びステップＦ７０２，Ｆ７０３の処理により、撮像表示装置１Ａで撮像されている撮像画像データが、撮像表示装置１Ａ側で記録されるとともに、撮像表示装置１Ｂ側で表示される。
従って撮像表示装置１Ａを装着している講師Ｕ１が見ている視界光景を、撮像表示装置１Ｂを装着している受講者Ｕ２が、表示部２（Ｂ）において見ることができる。
【００９３】
ステップＦ４４２の制御で送信及び記録が開始された後において、決定コマンドが受信されたら、システムコントローラ１０（Ａ）はそれを停止コマンドと解釈して、処理をステップＦ４０７からＦ４４３に進める。この場合システムコントローラ１０（Ａ）は、ストレージ部１７（Ａ）に撮像画像データの記録の停止を指示するとともに、通信部１８（Ａ）による撮像画像データの送信を停止させる。これによって、撮像部３（Ａ）で得られた撮像画像データの記録及び送信が停止される。ストレージ部１７（Ａ）は記録スタンバイ状態となり、通信部１８（Ａ）は送信スタンバイ状態となる。
またステップＦ４４４で、システムコントローラ１０（Ａ）は、停止通知を、通信部１８（Ａ）から撮像表示装置１Ｂに送信させる。
【００９４】
撮像表示装置１Ｂ側のシステムコントローラ１０（Ｂ）は、撮像表示装置１Ａからの停止通知を受信したら、処理をステップＦ７０４からＦ７０５に進め、撮像画像データの受信／表示を停止させる。つまり表示部２（Ｂ）において受信画像の表示を行う動作状態を終了させ、例えば表示部２をシースルー状態に戻す。
【００９５】
その後、撮像表示装置１Ａのシステムコントローラ１０（Ａ）は、さらに決定コマンドが受信されたら、それを開始コマンドと解釈して、ステップＦ４０５からＦ４４１、Ｆ４４２に進んで、表示スタンバイのコマンド送信を実行させた後、送信及び記録を再開させる。撮像表示装置１Ｂ側では、それに対応してステップＦ７０２，Ｆ７０３の処理を行う。
また、その後決定コマンドが受信されたら、システムコントローラ１０（Ａ）は停止コマンドと解釈し、ステップＦ４０７からＦ４４３，Ｆ４４４に進み、送信及び記録動作を停止させ、また停止通知を送信させる。撮像表示装置１Ｂ側では、それに対応してステップＦ７０４，Ｆ７０５の処理を行う。
【００９６】
従って、講師Ｕ１は、リモートコントローラ３０の操作子部３２の押圧を行うことで、自分の視界光景としての撮像画像データを記録するとともに受講者Ｕ２が見ることができるようにしたり、それらを停止させたりすることができる。
例えば図１５（ａ）は、講師Ｕ１が装着している撮像表示装置１Ａで撮像される画像の例として、受講者Ｕ２の撮像画像を示しているが、講師Ｕ１がリモートコントローラ３０で操作することで、受講者Ｕ２が装着している撮像表示装置１Ｂにおいて、このような受講者Ｕ２自身の画像を表示させること、及び講師Ｕ１が装着している撮像表示装置１Ａで記録することが、任意に可能となる。
【００９７】
システムコントローラ１０（Ａ）は終了トリガを検出したら、ステップＦ４０９からＦ４１０に進み、撮像／記録の終了処理を行って一連の処理を終える。
なお、この図１４の処理の変形例として、撮像表示装置１Ａ側では、撮像画像データの送信のみを行って、記録を行わないものとする例も考えられる。
【００９８】
講師Ｕ１がリモートコントローラ３０により撮像画像記録を指示する操作を行った場合、自機モードか他機モードかにより、以上の図１２，図１３，図１４のような処理が行われる。
なお、図１１のステップＦ４０２の時点で、両機モードであった場合は、撮像画像記録に関しては自機モードとみなして図１２又は図１４の処理を行なえばよい。
或いは、自機モードの場合は図１２の処理、両機モードの場合は図１４の処理を行うようにしてもよい。
さらに両機モードの場合は、撮像表示装置１Ａ、１Ｂの両方で撮像が行われるようにしてもよい。
その場合、両方の撮像画像データが撮像表示装置１Ａのストレージ部１７（Ａ）で記録及び表示されるようにしてもよい。或いは、表示に関しては、表示部２（Ａ）、表示部２（Ｂ）の一方又は両方で、画面分割により、両方の撮像画像が同時表示されるようにしてもよい。
また両機モードの場合は、撮像表示装置１Ａ、１Ｂの両方で撮像が行われるようにし、撮像表示装置１Ａの撮像画像データが撮像表示装置１Ａのストレージ部１７（Ａ）で記録され、撮像表示装置１Ｂの撮像画像データが撮像表示装置１Ｂのストレージ部１７（Ｂ）で記録されるようにし、表示に関しては、表示部２（Ａ）、表示部２（Ｂ）の一方又は両方で、画面分割により、両方の撮像画像が同時表示されるようにしてもよい。
さらに両機モードの場合は、撮像表示装置１Ａ、１Ｂの両方で撮像が行われるようにし、撮像表示装置１Ａの撮像画像データが撮像表示装置１Ｂのストレージ部１７（Ｂ）で記録されるとともに表示部２（Ｂ）で表示され、撮像表示装置１Ｂの撮像画像データが撮像表示装置１Ａのストレージ部１７（Ａ）で記録されるとともに表示部２（Ａ）で表示されるようにしてもよい。もちろんこの場合も、表示部２（Ａ）、表示部２（Ｂ）の一方又は両方で、画面分割により、両方の撮像画像が同時表示されるようにしてもよい。
【００９９】
なお、本例では、自機モード、他機モード、両機モードを設定した上で、撮像画像記録の指示（図１１のステップＦ４０１で認識される指示）を行うものとして述べているが、例えば撮像画像記録の指示の操作として、自機撮像、他機撮像、或いは両機撮像をダイレクトに指定できるようなメニュー項目を用意してもよい。
【０１００】
［９．再生処理（自機再生、自機表示）］
次に、講師Ｕ１がリモートコントローラ３０を操作して、画像の再生を実行させる場合の処理を説明する。まずここでは、撮像表示装置１Ａが自機モードとされている場合について述べる。
例えば撮像表示装置１Ａの操作メニューのメニュー項目には、ストレージ部１７（Ａ）に記録された画像コンテンツが示され、講師Ｕ１は、メニュー操作モードでリモートコントローラ３０を操作することで、撮像表示装置１Ａに、画像コンテンツを指定して再生の指示を行うことができる。
ストレージ部１７（Ａ）に記録された画像コンテンツとは、上記図１２，図１３，図１４のような処理で記録された撮像画像データである。つまり撮像表示装置１Ａ又は１Ｂで撮像された画像データである。もちろん、それ以外の画像データであってもかまわない。例えば通信部１８（Ａ）がネットワーク通信によりダウンロードした画像コンテンツでもよいし、ストレージ部１７（Ａ）が可搬性記録媒体の再生機能を備えていれば、可搬性記録媒体に記録されている画像コンテンツであってもよい。
【０１０１】
撮像表示装置１Ａのシステムコントローラ１０（Ａ）は、例えばメニュー操作により、再生する画像コンテンツの指定の指示があった場合は、処理を図１６のステップＦ６０１からＦ６０２に進め、ここで現在の被制御機器モードを判別する。そして自機モードか他機モードか両機モードかによって処理を分岐する。
【０１０２】
自機モードであった場合は、システムコントローラ１０（Ａ）は図１７の処理に進むことになる。これは、撮像表示装置１Ａが、再生する画像データを自機で表示する処理となる。
まず図１７のステップＦ６０３では、システムコントローラ１０（Ａ）は表示部２（Ａ）
での再生画像表示を指示する。例えばシースルー状態から、画像表示状態となるように制御する。
そしてステップＦ６０４で、ストレージ部１７（Ａ）に指定された画像データの読み出しを指示するとともに、その再生された画像データを表示部２（Ａ）に転送させ、再生画像の表示を開始させる。
【０１０３】
以降、システムコントローラ１０（Ａ）は、リモートコントローラ３０からの決定コマンド（操作子部３２の押圧操作によるコマンド）を待機する。システムコントローラ１０（Ａ）は、再生画像表示中に決定コマンドが受信された場合は、それを再生及び表示の停止操作と判断する。またシステムコントローラ１０（Ａ）は、再生及び表示の停止中に決定コマンドが受信された場合は、それを再生及び表示の再開操作と判断する。
【０１０４】
従って、ステップＦ６０４で再生及び表示を開始させた後に、決定コマンドが受信されたら、システムコントローラ１０（Ａ）はそれを停止コマンドと解釈して、処理をステップＦ６０５からＦ６０６に進める。そしてストレージ部１７（Ａ）に画像データの読み出しの停止を指示する。また表示部２（Ａ）に再生画像表示の停止を指示し、表示パネル部２ａをシースルー状態に戻させる。
【０１０５】
ステップＦ６０６の制御で再生及び表示が停止された後において、決定コマンドが受信されたら、システムコントローラ１０（Ａ）はそれを再開コマンドと解釈して、処理をステップＦ６０７からＦ６０３に戻す。
つまり上記同様にシステムコントローラ１０（Ａ）は、ステップＦ６０３で表示部２（Ａ）での再生画像表示を指示し、ステップＦ６０４でストレージ部１７（Ａ）に画像データの読み出し（例えば前回の停止ポイントからの読み出し）を指示するとともに、その再生された画像データを表示部２（Ａ）に転送させ、再生画像の表示を再開させる。
【０１０６】
従って、講師Ｕ１は、リモートコントローラ３０の操作子部３２の押圧を行うことで、再生画像の表示を実行させたり停止させたりすることができる。
【０１０７】
システムコントローラ１０（Ａ）は終了トリガを検出したら、ステップＦ６０８からＦ６０９に進み、画像再生／表示の終了処理を行って一連の処理を終える。
終了トリガは、例えば講師Ｕ１がメニュー操作等を行って、画像再生／表示の終了を指示できるようにしてもよいし、リモートコントローラ３０の所定の操作（例えば２連続押圧など）を終了操作とするようにしてもよい。
またステップＦ６０６で表示停止された状態で一定時間以上経過したら、それを終了トリガとシステムコントローラ１０（Ａ）が判断するようにしてもよい。
終了処理としては、例えば各部を、ステップＦ６０１で画像再生の指示が出た直前の状態に戻す。
【０１０８】
［１０．再生処理（自機再生、他機表示）］
撮像表示装置１Ａのシステムコントローラ１０（Ａ）は、再生する画像データの指定操作があると、処理を図１６のステップＦ６０１からＦ６０２に進めるが、このときに現在の被制御機器モードが他機モードであった場合は、図１８の処理に進むことになる。これは、撮像表示装置１Ａで再生する画像を、他機（撮像表示装置１Ｂ）で表示させる処理となる。
【０１０９】
まず図１８のステップＦ６２０では、システムコントローラ１０（Ａ）は、表示スタンバイのコマンドを、通信部１８（Ａ）から撮像表示装置１Ｂに送信させる。
そしてステップＦ６２１で、ストレージ部１７（Ａ）に指定された画像データの読み出しを指示するとともに、その再生された画像データを通信部１８（Ａ）に転送させ、通信部１８（Ａ）に再生画像の送信を開始させる。
【０１１０】
撮像表示装置１Ｂ側のシステムコントローラ１０（Ｂ）は、撮像表示装置１Ａからの表示スタンバイのコマンドを受信したら、処理をステップＦ７０１からＦ７０２に進め、その撮像表示装置１Ｂの表示部２（Ｂ）に対して、受信画像の表示を指示する。例えばシースルー状態から、画像表示状態となるように制御する。
その後、撮像表示装置１Ａ側のステップＦ６２１により、再生された撮像画像データが送信されてくるため、システムコントローラ１０（Ｂ）は、ステップＦ７０３で、通信部１８（Ｂ）で受信される撮像画像データについての表示部２（Ｂ）での表示を開始させる。
【０１１１】
このステップＦ６２０，Ｆ６２１、及びステップＦ７０２，Ｆ７０３の処理により、撮像表示装置１Ａのストレージ部１７（Ａ）で再生されている画像データが、撮像表示装置１Ｂ側で表示される。
従って撮像表示装置１Ａで再生した画像を、撮像表示装置１Ｂを装着している受講者Ｕ２が、表示部２（Ｂ）において見ることができる。
【０１１２】
以降、システムコントローラ１０（Ａ）は、リモートコントローラ３０からの決定コマンドを待機し、上記図１７の場合と同様に決定コマンドを解釈する。
従って、ステップＦ６２１で再生及び送信を開始させた後に、決定コマンドが受信されたら、システムコントローラ１０（Ａ）はそれを停止コマンドと解釈して、処理をステップＦ６２２からＦ６２３に進める。
そしてストレージ部１７（Ａ）に画像データの読み出しの停止を指示する。また通信部１８（Ａ）に再生画像データの送信の停止を指示する。
さらにステップＦ６２４で、システムコントローラ１０（Ａ）は、停止通知を、通信部１８（Ａ）から撮像表示装置１Ｂに送信させる。
【０１１３】
撮像表示装置１Ｂ側のシステムコントローラ１０（Ｂ）は、撮像表示装置１Ａからの停止通知を受信したら、処理をステップＦ７０４からＦ７０５に進め、撮像画像データの受信／表示を停止させる。つまり表示部２（Ｂ）において受信画像の表示を行う動作状態を終了させ、例えば表示部２をシースルー状態に戻す。
【０１１４】
ステップＦ６２３の制御で再生及び送信が停止された後において、決定コマンドが受信されたら、システムコントローラ１０（Ａ）はそれを再開コマンドと解釈して、処理をステップＦ６２５からＦ６２０に戻す。
つまり上記同様にシステムコントローラ１０（Ａ）は、ステップＦ６２０で撮像表示装置１Ｂに対する表示スタンバイのコマンド送信を通信部１８（Ａ）に実行させ、ステップＦ６２１でストレージ部１７（Ａ）に画像データの読み出し（例えば停止ポイントからの読み出し）を指示するとともに、その再生された画像データについての通信部１８（Ａ）による送信を再開させる。
撮像表示装置１Ｂ側では、それに対応してステップＦ７０２，Ｆ７０３の処理を行う。
【０１１５】
従って、講師Ｕ１は、リモートコントローラ３０の操作子部３２の押圧を行うことで、再生画像の受講者Ｕ２側での表示を実行させたり停止させたりすることができる。
【０１１６】
システムコントローラ１０（Ａ）は終了トリガを検出したら、ステップＦ６２６からＦ６２７に進み、画像再生／送信の終了処理を行って一連の処理を終える。
終了トリガは、例えば講師Ｕ１がメニュー操作等を行って、画像再生／送信の終了を指示できるようにしてもよいし、リモートコントローラ３０の所定の操作（例えば２連続押圧など）を終了操作とするようにしてもよい。
またステップＦ６２３で送信停止された状態で一定時間以上経過したら、それを終了トリガとシステムコントローラ１０（Ａ）が判断するようにしてもよい。
終了処理としては、例えば各部を、ステップＦ６０１で画像再生の指示が出た直前の状態に戻す。
【０１１７】
なお、撮像表示装置１Ｂ側では、ステップＦ７０４で停止通知が受信されることで、ステップＦ７０５で受信及び表示動作を終了させるが、例えば停止通知が受信されなくとも、一定時間以上、再生画像データの受信が途切れたような場合、停止通知と同様に判断してステップＦ７０５で表示処理を終了させてもよい。
【０１１８】
［１１．再生処理（自機再生、両機表示）］
撮像表示装置１Ａのシステムコントローラ１０（Ａ）は、再生する画像データの指定操作があると、処理を図１６のステップＦ６０１からＦ６０２に進めるが、ここで現在の被制御機器モードが両機モードであった場合は、図１９の処理に進むことになる。これは、撮像表示装置１Ａで再生する画像を、自機（撮像表示装置１Ａ）と他機（撮像表示装置１Ｂ）の両方で表示させる処理となる。
【０１１９】
まず図１９のステップＦ６４０では、システムコントローラ１０（Ａ）は表示部２（Ａ）での再生画像表示を指示する。例えばシースルー状態から、画像表示状態となるように制御する。
またステップＦ６４１で、システムコントローラ１０（Ａ）は、表示スタンバイのコマンドを、通信部１８（Ａ）から撮像表示装置１Ｂに送信させる。
そしてステップＦ６４２で、システムコントローラ１０（Ａ）は、ストレージ部１７（Ａ）に指定された画像データの読み出しを指示するとともに、その再生された画像データを表示部２（Ａ）に転送させ、再生画像の表示を開始させる。さらに、その再生された画像データを通信部１８（Ａ）に転送させ、通信部１８（Ａ）に再生画像の送信を開始させる。
【０１２０】
撮像表示装置１Ｂ側のシステムコントローラ１０（Ｂ）は、撮像表示装置１Ａからの表示スタンバイのコマンドを受信したら、処理をステップＦ７０１からＦ７０２に進め、その撮像表示装置１Ｂの表示部２（Ｂ）に対して、受信画像の表示を指示する。例えばシースルー状態から、画像表示状態となるように制御する。
その後、撮像表示装置１Ａ側のステップＦ６２１により、再生された撮像画像データが送信されてくるため、システムコントローラ１０（Ｂ）は、ステップＦ７０３で、通信部１８（Ｂ）で受信される撮像画像データについての表示部２（Ｂ）での表示を開始させる。
【０１２１】
このステップＦ６４０，Ｆ６４１，Ｆ６４２、及びステップＦ７０２，Ｆ７０３の処理により、撮像表示装置１Ａのストレージ部１７（Ａ）で再生されている画像データが、撮像表示装置１Ａ、撮像表示装置１Ｂの両方で表示される。
従って撮像表示装置１Ａで再生した画像を、撮像表示装置１Ａを装着している講師Ｕ１と撮像表示装置１Ｂを装着している受講者Ｕ２が、それぞれ表示部２（Ａ）、表示部２（Ｂ）で見ることができる。
【０１２２】
以降、システムコントローラ１０（Ａ）は、リモートコントローラ３０からの決定コマンドを待機し、上記図１７の場合と同様に決定コマンドを解釈する。
従って、ステップＦ６４２で再生、表示、及び送信を開始させた後に、決定コマンドが受信されたら、システムコントローラ１０（Ａ）はそれを停止コマンドと解釈して、処理をステップＦ６４３からＦ６４４に進める。
そしてストレージ部１７（Ａ）に画像データの読み出しの停止を指示する。また通信部１８（Ａ）に再生画像データの送信の停止を指示する。さらに表示部２（Ａ）に再生画像の表示停止を指示し、表示部２（Ａ）の表示パネル部２ａをシースルー状態に制御する。
またステップＦ６４５で、システムコントローラ１０（Ａ）は、停止通知を、通信部１８（Ａ）から撮像表示装置１Ｂに送信させる。
【０１２３】
撮像表示装置１Ｂ側のシステムコントローラ１０（Ｂ）は、撮像表示装置１Ａからの停止通知を受信したら、処理をステップＦ７０４からＦ７０５に進め、撮像画像データの受信／表示を停止させる。つまり表示部２（Ｂ）において受信画像の表示を行う動作状態を終了させ、例えば表示部２をシースルー状態に戻す。
【０１２４】
ステップＦ６４４の制御で再生、表示及び送信が停止された後において、決定コマンドが受信されたら、システムコントローラ１０（Ａ）はそれを再開コマンドと解釈して、処理をステップＦ６４６からＦ６４０に戻す。
つまり上記同様にシステムコントローラ１０（Ａ）は、ステップＦ６４０で表示部２（Ａ）に再生画像表示を指示し、ステップＦ６４１で撮像表示装置１Ｂに対する表示スタンバイのコマンド送信を通信部１８（Ａ）に実行させ、ステップＦ６４２でストレージ部１７（Ａ）に画像データの読み出し（例えば停止ポイントからの読み出し）を指示するとともに、その再生された画像データについての表示部２（Ａ）での表示と、通信部１８（Ａ）による送信を再開させる。
撮像表示装置１Ｂ側では、それに対応してステップＦ７０２，Ｆ７０３の処理を行う。
【０１２５】
従って、講師Ｕ１は、リモートコントローラ３０の操作子部３２の押圧を行うことで、講師Ｕ１側と受講者Ｕ２側での再生画像の表示を実行させたり停止させたりすることができる。
【０１２６】
システムコントローラ１０（Ａ）は終了トリガを検出したら、ステップＦ６４７からＦ６４８に進み、画像再生／送信の終了処理を行って一連の処理を終える。
終了トリガは、例えば講師Ｕ１がメニュー操作等を行って、画像再生／表示の終了を指示できるようにしてもよいし、リモートコントローラ３０の所定の操作（例えば２連続押圧など）を終了操作とするようにしてもよい。
またステップＦ６４４で表示停止された状態で一定時間以上経過したら、それを終了トリガとシステムコントローラ１０（Ａ）が判断するようにしてもよい。
終了処理としては、例えば各部を、ステップＦ６０１で画像再生の指示が出た直前の状態に戻す。
【０１２７】
なおこの場合も、撮像表示装置１Ｂ側では、ステップＦ７０４で停止通知が受信されることで、ステップＦ７０５で受信及び表示動作を終了させるが、例えば停止通知が受信されなくとも、一定時間以上、再生画像データの受信が途切れたような場合、停止通知と同様に判断してステップＦ７０５で表示処理を終了させてもよい。
【０１２８】
以上の図１６，図１７，図１８，図１９の処理例は、自機モード、他機モード、両機モードを設定した上で、再生する画像データの指示（図１６のステップＦ６０１で認識される指示）を行うものとして述べているが、例えば再生する画像コンテンツ指定の際に、自機撮像、他機撮像、或いは両機撮像をダイレクトに指定できるようなメニュー項目を用意してもよい。
【０１２９】
なお、図１７，図１８，図１９では省略したが、再生中や再生停止中には、リモートコントローラ３０から早送りコマンドや早戻しコマンドが送信されてくることもある。システムコントローラ１０（Ａ）は、これらのコマンドに応じた早送り再生、早戻し再生なども実行されるようにストレージ部１７（Ａ）に対する制御を行うことになる。
【０１３０】
［１２．実施の形態の効果、及び変形例、拡張例］
以上、実施の形態を説明してきたが、実施の形態によれば、例えば講師Ｕ１と受講者Ｕ２が撮像表示装置１Ａ、１Ｂを装着することで、お互いに他方のユーザの視覚光景を容易に見ることができる。また、お互いの視界光景を撮像表示装置１Ａ側で記録し、後に再生させて、講師Ｕ１で、或いは受講者Ｕ２で、或いはその双方で、見ることができる。
【０１３１】
例えばゴルフ講習の使用を想定すると、撮像表示装置１Ａで撮像して、撮像画像データを、撮像表示装置１Ａで記録することで、講師Ｕ１の視界光景を記録できる。例えば受講者のスイングフォームなどを講師の視点の光景として記録できる。特に講師が考えるチェックポイントなどを的確に記録できることになる。
また撮像表示装置１Ｂで撮像して、撮像画像データを、撮像表示装置１Ａで記録させることで、受講者Ｕ２から見た講師の見本フォームなどを記録することができる。
また撮像表示装置１Ａで撮像して、撮像画像データを、撮像表示装置１Ｂで表示させることで、講師Ｕ１から見た受講者Ｕ２の動作を、受講者Ｕ２自身がリアルタイムで見ることができる。例えばゴルフのスイングを、自分のスイングフォームを見ながら練習できる。
また、撮像表示装置１Ａで再生する撮像画像データを、撮像表示装置１Ａで表示させることで、講師Ｕ１は、自分のフォームや受講者Ｕ２のフォームなどを容易に確認できる。
また、撮像表示装置１Ａで再生する撮像画像データを、撮像表示装置１Ｂで表示させることで、講師Ｕ１は、自分のフォームや受講者Ｕ２のフォームなどを容易に受講者Ｕ２に見させることができる。
また、撮像表示装置１Ａで再生する撮像画像データを、撮像表示装置１Ａ、１Ｂの両方で表示させることで、講師Ｕ１や受講者Ｕ２の動作を、同時に見ながら講習を進めることができる。
【０１３２】
これらのことで、受講者Ｕ２は、自分の動きやフォームを受講者自身がその場で視認しながら、口頭で説明してもらったりするなど、効果的な練習が可能になる。また練習場所や時間の制約が少ない講習が可能になるという大きな効果がある。
さらに、講師Ｕ１がリモートコントローラ３０を操作することで、これらを容易に実現できることも、非常に好適である。
【０１３３】
これらは、ゴルフ講習という例において述べた効果の一例であるが、これ以外にもリアルタイムの視覚交換や、再生画像の視覚交換、さらには視覚共用としての本システムの動作を有効に活用できる使用形態は非常に多様に考えられる。
例えばスポーツ練習に好適であるばかりでなく、自動車運転教習や、各種の習い事、さらには遊技、ゲーム、テーマパークのアトラクション等にも利用できる。また学術研究や調査などの用途も考えられる。
【０１３４】
なお、本発明の撮像表示システム、撮像表示装置、撮像表示装置の制御方法の実施の形態を説明してきたが、本発明は、上記実施の形態の例に限らず多様な変形例や拡張例が考えられる。
本発明の撮像表示装置やリモートコントローラとしての構成例や処理例は、それぞれ多様に考えられる。
【０１３５】
また、撮像表示装置１（１Ａ、１Ｂ）では、通常の撮像だけでなく、多様な撮像動作を行って記録や送信を行うようにしてもよい。例えば、望遠撮像、広角撮像、望遠から広角までの間のズームインもしくはズームアウトを行いながらの撮像、画像拡大撮像、画像縮小撮像、フレームレートの可変撮像（高フレームレートでの撮像や低フレームレートでの撮像など）、高輝度撮像、低輝度撮像、コントラスト可変撮像、シャープネス可変撮像、撮像感度上昇状態の撮像、赤外線撮像感度上昇状態の撮像、紫外線撮像感度上昇状態の撮像、特定波長帯域をカットした撮像、撮像画像データに対するモザイク処理／輝度反転処理／ソフトフォーカス処理／画像内の一部の強調処理／画像全体の色の雰囲気の可変処理などの画像エフェクトを加えた撮像、静止画撮像などである。
【０１３６】
また、画像データによる視覚交換だけでなく、音声データを例えば撮像表示装置１Ｂから撮像表示装置１Ａに送信したり、その逆をおこなって聴覚交換を実行できるようにしてもよい。
【０１３７】
また、上記実施の形態では、撮像表示装置１Ａに対応するリモートコントローラ３０を用いて操作することとしたが、これに加えて、撮像表示装置１Ｂに対応するリモートコントローラ３０を同時に用いることも考えられる。例えば上記例で言えば、受講者Ｕ２もリモートコントローラ３０により操作可能とする。その場合、撮像表示装置１Ｂのシステムコントローラ１０（Ｂ）が、受講者Ｕ２が装着したリモートコントローラ３０に対応して、上述した図９〜図１７で撮像表示装置１Ａ側の処理として説明した処理を行えばよい。（その場合は、システムコントローラ１０（Ａ）が、撮像表示装置１Ｂ側の処理として説明した処理を行う。）
すると、双方のユーザが、それぞれ任意に、上述した各種動作を指示できることになる。
【０１３８】
さらに、３以上の撮像表示装置１において、相互に視覚交換としての上述した撮像、記録、再生、表示を行うことも可能である。
例えば撮像表示装置１Ａ、１Ｂ、１Ｃとして３台を考えた場合、撮像表示装置１Ａで撮像した画像を、撮像表示装置１Ｂ、１Ｃで表示させることができる。
また、撮像表示装置１Ａで再生した画像を、撮像表示装置１Ａ、１Ｂ、１Ｃで表示させることもできる。
また撮像表示装置１Ａで撮像（又は再生）した画像と撮像表示装置１Ｂで撮像（又は再生）した画像を、撮像表示装置１Ｃで画面分割して同時表示させることもできる。
また撮像表示装置１Ａ、１Ｂ、１Ｃで撮像した各画像を、撮像表示装置１Ａ、１Ｂ、１Ｃで画面分割して同時表示させることもできる。
【図面の簡単な説明】
【０１３９】
【図１】本発明の実施の形態の撮像表示装置の外観例の説明図である。
【図２】実施の形態の撮像表示システムの使用形態の説明図である。
【図３】実施の形態の撮像表示装置のブロック図である。
【図４】実施の形態のリモートコントローラの装着状態の説明図である。
【図５】実施の形態のリモートコントローラの説明図である。
【図６】実施の形態のリモートコントローラのブロック図である。
【図７】実施の形態のリモートコントローラの処理のフローチャートである。
【図８】実施の形態の表示装置のブロック図である。
【図９】実施の形態のメニュー操作の説明図である。
【図１０】実施の形態の透過率制御処理のフローチャートである。
【図１１】実施の形態の撮像画像記録指示の際の処理のフローチャートである。
【図１２】実施の形態で自機撮像、自機記録の処理のフローチャートである。
【図１３】実施の形態で他機撮像、自機記録／表示の処理のフローチャートである。
【図１４】実施の形態で自機撮像／記録、他機表示の処理のフローチャートである。
【図１５】実施の形態で自機撮像画像、他機撮像画像の説明図である。
【図１６】実施の形態で再生画像指定時の処理のフローチャートである。
【図１７】実施の形態で自機再生、自機表示の処理のフローチャートである。
【図１８】実施の形態で自機再生、他機記録の処理のフローチャートである。
【図１９】実施の形態で自機再生、両機記録の処理のフローチャートである。
【符号の説明】
【０１４０】
１、１Ａ、１Ｂ  撮像表示装置、２  表示部、３  撮像部、５  音声出力部、６  音声入力部、１０  システムコントローラ、１１  操作入力部、１７  ストレージ部、１８  通信部、３０  リモートコントローラ、３１  本体部、３２  操作子部
【図１】
2009021914.tif 000003
【図２】
2009021914.tif 000004
【図３】
2009021914.tif 000005
【図４】
2009021914.tif 000006
【図５】
2009021914.tif 000007
【図６】
2009021914.tif 000008
【図７】
2009021914.tif 000009
【図８】
2009021914.tif 000010
【図９】
2009021914.tif 000011
【図１０】
2009021914.tif 000012
【図１１】
2009021914.tif 000013
【図１２】
2009021914.tif 000014
【図１３】
2009021914.tif 000015
【図１４】
2009021914.tif 000016
【図１５】
2009021914.tif 000017
【図１６】
2009021914.tif 000018
【図１７】
2009021914.tif 000019
【図１８】
2009021914.tif 000020
【図１９】
2009021914.tif 000021